(57)【要約】低パワー無線通信技術は、無線ボディエリアネットワーク、無線パーソナルエリアネットワーク、またはいくつかの他のタイプの無線ネットワークリンクを介して通信するデバイスで用いられる。いくつかの態様において、デバイスは１つ以上のインパルスベースの超広帯域チャネルを介して通信する。パルス間デューティサイクリングがデバイスのパワー消費を低減するために用いられる。パワーは、パルス間デューティサイクリングに従って容量性要素を充電しかつ放電することによって、パルスの伝送および受信のために供給される。サブパケットデータが共通周波数帯域を介して伝送かつ受信される。セルホンは、無線通信リンクを介して２つ以上の周辺装置にマルチキャストする。【選択図】    図４
2009535930.tif 000002
【特許請求の範囲】
【請求項１】
パルスを提供する方法であって、
可変パルス間時間期間に応じてパルスを伝送することと、
前記パルスの伝送間でデューティサイクリングすることと、
を備える方法。
【請求項２】
前記可変パルス間時間期間は、可変パルス繰り返し期間を備える、請求項１に記載の方法。
【請求項３】
前記パルス間時間期間は、時間ホッピングシーケンスに従って変更される、請求項１に記載の方法。
【請求項４】
前記パルス間時間期間は、可変符号化レートに従って変更される、請求項１に記載の方法。
【請求項５】
前記可変符号化レートは、可変ソース符号化レートを備える、請求項４に記載の方法。
【請求項６】
前記可変符号化レートは、可変チャネル符号化レートを備える、請求項４に記載の方法。
【請求項７】
前記デューティサイクリングは、送信器の回路の少なくとも一部を前記パルスの前記伝送間に不能にすることを備える、請求項１に記載の方法。
【請求項８】
前記デューティサイクリングは、送信器の回路を前記パルスの前記伝送間にオフすることを備える、請求項１に記載の方法。
【請求項９】
前記デューティサイクリングは、送信器の回路によって使用されるクロック信号のクロックレートを前記パルスの前記伝送間に低減することを備える、請求項１に記載の方法。
【請求項１０】
前記パルスのそれぞれは、２０ナノ秒以下の程度の時間期間を有する、請求項１に記載の方法。
【請求項１１】
前記パルスのそれぞれは、ほぼ６ギガヘルツから１０ギガヘルツの範囲内の周波数帯域を有する、請求項１に記載の方法。
【請求項１２】
前記パルスのそれぞれは、２０％以上の程度の比帯域幅を有し、５００メガヘルツ以上の程度の帯域幅を有し、または２０％以上の程度の比帯域幅で、かつ５００メガヘルツ以上の程度の帯域幅を有する、請求項１に記載の方法。
【請求項１３】
少なくとも２つの前記パルスのセットはデータの単一ビットを表し、かつ
パルスの前記セットは非コヒーレント受信器に伝送される、請求項１に記載の方法。
【請求項１４】
パルスを提供するための装置であって、
可変パルス間時間期間に応じてパルスを伝送するように構成された送信器と、
前記パルスの伝送間でデューティサイクリングを提供するように構成された状態コントローラと、
を備える装置。
【請求項１５】
前記可変パルス間時間期間は、可変パルス繰り返し期間を備える、請求項１４に記載の装置。
【請求項１６】
前記パルス間時間の持続期間は、時間ホッピングシーケンスに従って変更される、請求項１４に記載の装置。
【請求項１７】
前記パルス間時間期間は、可変符号化レートに従って変更される、請求項１４に記載の装置。
【請求項１８】
前記可変符号化レートは、可変ソース符号化レートを備える、請求項１７に記載の装置。
【請求項１９】
前記可変符号化レートは、可変チャネル符号化レートを備える、請求項１７に記載の装置。
【請求項２０】
前記デューティサイクリングは、前記送信器の回路の少なくとも一部を前記パルスの前記伝送間に不能にすることを備える、請求項１４に記載の装置。
【請求項２１】
前記デューティサイクリングは、前記送信器の回路を前記パルスの前記伝送間にオフすることを備える、請求項１４に記載の装置。
【請求項２２】
前記デューティサイクリングは、前記送信器の回路によって使用されるクロック信号のクロックレートを前記パルスの前記伝送間に低減することを備える、請求項１４に記載の装置。
【請求項２３】
前記パルスのそれぞれは、２０ナノ秒以下の程度の時間期間を有する、請求項１４に記載の装置。
【請求項２４】
各前記パルスは、ほぼ６ギガヘルツから１０ギガヘルツの範囲内の周波数帯域を有する、請求項１４に記載の装置。
【請求項２５】
前記パルスのそれぞれは、２０％以上の程度の比帯域幅を有し、５００メガヘルツ以上の程度の帯域幅を有し、または２０％以上の程度の比帯域幅で、かつ５００メガヘルツ以上の程度の帯域幅を有する、請求項１４に記載の装置。
【請求項２６】
少なくとも２つの前記パルスのセットは、データの単一ビットを表し、かつ
前記送信器は、非コヒーレント受信器にパルスの前記セットを伝送する、請求項１４に記載の装置。
【請求項２７】
パルスを提供するための装置であって、
可変パルス間時間期間に応じてパルスを伝送するための手段と、
前記パルスの伝送間でデューティサイクリングするための手段と、
を備える装置。
【請求項２８】
前記可変パルス間時間期間は、可変パルス繰り返し期間を備える、請求項２７に記載の装置。
【請求項２９】
前記パルス間時間期間は、時間ホッピングシーケンスに従って変更される、請求項２７に記載の装置。
【請求項３０】
前記パルス間時間期間は、可変符号化レートに従って変更される、請求項２７に記載の装置。
【請求項３１】
前記可変符号化レートは、可変ソース符号化レートを備える、請求項３０に記載の装置。
【請求項３２】
前記可変符号化レートは、可変チャネル符号化レートを備える、請求項３０に記載の装置。
【請求項３３】
前記デューティサイクリングは、前記伝送するための手段の回路の少なくとも一部を前記パルスの前記伝送間に不能にすることを備える、請求項２７に記載の装置。
【請求項３４】
前記デューティサイクリングは、前記伝送するための手段の回路を前記パルスの前記伝送間にオフすることを備える、請求項２７に記載の装置。
【請求項３５】
前記デューティサイクリングは、前記伝送するための手段の回路によって使用されるクロック信号のクロックレートを前記パルスの前記伝送間に低減することを備える、請求項２７に記載の装置。
【請求項３６】
前記パルスのそれぞれは、２０ナノ秒以下の程度の時間期間を有する請求項２７に記載の装置。
【請求項３７】
前記パルスのそれぞれは、ほぼ６ギガヘルツから１０ギガヘルツの範囲内の周波数帯域を有する、請求項２７に記載の装置。
【請求項３８】
前記パルスのそれぞれは、２０％以上の程度の比帯域幅を有し、５００メガヘルツ以上の程度の帯域幅を有し、または２０％以上の程度の比帯域幅で、かつ５００メガヘルツ以上の程度の帯域幅を有する、請求項２７に記載の装置。
【請求項３９】
少なくとも２つの前記パルスのセットは、データの単一ビットを表し、かつ
前記伝送するための手段は、非コヒーレント受信器にパルスの前記セットを伝送する、請求項２７に記載の装置。
【請求項４０】
パルスを提供するためのコンピュータプログラム製品であって、少なくとも１つのコンピュータに、
可変パルス間時間期間に応じてパルスを伝送させ、かつ
前記パルスの伝送間でデューティサイクリングを提供させる、
実行可能なコードを有するコンピュータ可読媒体を備えた、コンピュータプログラム製品。
【請求項４１】
無線通信のためのヘッドセットであって、
可変パルス間時間期間に応じてパルスを伝送するように構成された送信器と、
前記パルスの伝送間でデューティサイクリングを提供するように構成された状態コントローラと、
受信器によって受信されたパルスに基づき可聴出力を提供するように構成された変換器と、
を備えるヘッドセット。
【請求項４２】
無線通信のためのウオッチであって、
符号化された情報を生成するように構成された符号器と、
可変パルス間時間期間に応じてパルスを伝送するように構成された送信器と、
前記パルスの伝送間でデューティサイクリングを提供するように構成された状態コントローラと、
受信器によって受信されたパルスに基づき可視出力を提供するように構成されたディスプレイと、
を備えるウオッチ。
【請求項４３】
無線通信のための医療デバイスであって、
可変パルス間時間期間に応じてパルスを伝送するように構成された送信器と、
前記パルスの伝送間でデューティサイクリングを提供するように構成された状態コントローラと、
前記送信器によって伝送されるべき検知されたデータを生成するように構成されたセンサと、
を備える医療デバイス。
【請求項４４】
パルスを処理する方法であって、
可変パルス間時間期間に応じてパルスを受信することと、
前記パルスの受信間でデューティサイクリングすることと、
を備える方法。
【請求項４５】
前記可変パルス間時間期間は、可変パルス繰り返し期間を備える、請求項４４に記載の方法。
【請求項４６】
前記パルス間時間期間は、時間ホッピングシーケンスに従って変更される、請求項４４に記載の方法。
【請求項４７】
前記パルス間時間期間は、可変符号化レートに従って変更される、請求項４４に記載の方法。
【請求項４８】
前記可変符号化レートは、可変ソース符号化レートを備える、請求項４７に記載の方法。
【請求項４９】
前記可変符号化レートは、可変チャネル符号化レートを備える、請求項４７に記載の方法。
【請求項５０】
前記デューティサイクリングは、受信器の回路の少なくとも一部を前記パルスの前記受信間に不能にすることを備える、請求項４４に記載の方法。
【請求項５１】
前記デューティサイクリングは、受信器の回路を前記パルスの前記受信間にオフすることを備える、請求項４４に記載の方法。
【請求項５２】
前記デューティサイクリングは、受信器の回路によって使用されるクロック信号のクロックレートを前記パルスの前記受信間に低減することを備える、請求項４４に記載の方法。
【請求項５３】
前記パルスのそれぞれは、２０ナノ秒以下の程度の時間期間を有する、請求項４４に記載の方法。
【請求項５４】
前記パルスのそれぞれは、ほぼ６ギガヘルツから１０ギガヘルツの範囲内の周波数帯域を有する、請求項４４に記載の方法。
【請求項５５】
前記パルスのそれぞれは、２０％以上の程度の比帯域幅を有し、５００メガヘルツ以上の程度の帯域幅を有し、または２０％以上の程度の比帯域幅で、かつ５００メガヘルツ以上の程度の帯域幅を有する、請求項４４に記載の方法。
【請求項５６】
少なくとも２つの前記パルスのセットは、データの単一ビットを表し、かつ
非コヒーレント受信器は、パルスの前記セットを受信する、請求項４４に記載の方法。
【請求項５７】
パルスを処理するための装置であって、
可変パルス間時間期間に応じてパルスを受信するように構成された受信器と、
前記パルスの伝送間でデューティサイクリングを提供するように構成された状態コントローラと、
を備える装置。
【請求項５８】
前記可変パルス間時間の持続期間は、可変パルス繰り返し期間を備える、請求項５７に記載の装置。
【請求項５９】
前記パルス間時間の持続期間は、時間ホッピングシーケンスに従って変更される、請求項５７に記載の装置。
【請求項６０】
前記パルス間時間の持続期間は、可変符号化レートに従って変更される、請求項５７に記載の装置。
【請求項６１】
前記可変符号化レートは、可変ソース符号化レートを備える、請求項６０に記載の装置。
【請求項６２】
前記可変符号化レートは、可変チャネル符号化レートを備える、請求項６０に記載の装置。
【請求項６３】
前記デューティサイクリングは、前記受信器の回路の少なくとも一部を前記パルスの前記受信間に不能にすることを備える、請求項５７に記載の装置。
【請求項６４】
前記デューティサイクリングは、前記受信器の回路を前記パルスの前記伝送間にオフすることを備える、請求項５７に記載の装置。
【請求項６５】
前記デューティサイクリングは、前記受信器の回路によって使用されるクロック信号のクロックレートを前記パルスの前記受信間に低減することを備える、請求項５７に記載の装置。
【請求項６６】
前記パルスのそれぞれは、２０ナノ秒以下の程度の時間期間を有する、請求項５７に記載の装置。
【請求項６７】
前記パルスのそれぞれは、ほぼ６ギガヘルツから１０ギガヘルツの範囲内の周波数帯域を有する、請求項５７に記載の装置。
【請求項６８】
前記パルスのそれぞれは、２０％以上の程度の比帯域幅を有し、５００メガヘルツ以上の程度の帯域幅を有し、または２０％以上の程度の比帯域幅で、かつ５００メガヘルツ以上の程度の帯域幅を有する、請求項５７に記載の装置。
【請求項６９】
少なくとも２つの前記パルスのセットは、データの単一ビットを表し、かつ
前記受信器は、パルスの前記セットを受信するように構成された非コヒーレント受信器を備える、請求項５７に記載の装置。
【請求項７０】
パルスを処理するための装置であって、
可変パルス間時間期間に応じてパルスを受信するための手段と、
前記パルスの受信間でデューティサイクリングするための手段と、
を備える装置。
【請求項７１】
前記可変パルス間時間期間は、可変パルス繰り返し期間を備える、請求項７０に記載の装置。
【請求項７２】
前記パルス間時間期間は、時間ホッピングシーケンスに従って変更される、請求項７０に記載の装置。
【請求項７３】
前記パルス間時間期間は、可変符号化レートに従って変更される、請求項７０に記載の装置。
【請求項７４】
前記可変符号化レートは、可変ソース符号化レートを備える、請求項７３に記載の装置。
【請求項７５】
前記可変符号化レートは、可変チャネル符号化レートを備える、請求項７３に記載の装置。
【請求項７６】
前記デューティサイクリングは、前記受信するための手段の回路の少なくとも一部を前記パルスの前記受信間に不能にすることを備える、請求項７０に記載の装置。
【請求項７７】
前記デューティサイクリングは、前記受信するための手段の回路を前記パルスの前記伝送間にオフすることを備える、請求項７０に記載の装置。
【請求項７８】
前記デューティサイクリングは、前記受信するための手段の回路によって使用されるクロック信号のクロックレートを前記パルスの前記受信間に低減することを備える、請求項７０に記載の装置。
【請求項７９】
前記パルスのそれぞれは、２０ナノ秒以下の程度の時間持続期間を有する、請求項７０に記載の装置。
【請求項８０】
前記パルスのそれぞれは、ほぼ６ギガヘルツから１０ギガヘルツの範囲内の周波数帯域を有する、請求項７０に記載の装置。
【請求項８１】
前記パルスのそれぞれは、２０％以上の程度の比帯域幅を有し、５００メガヘルツ以上の程度の帯域幅を有し、または２０％以上の程度の比帯域幅で、かつ５００メガヘルツ以上の程度の帯域幅を有する、請求項７０に記載の装置。
【請求項８２】
少なくとも２つの前記パルスのセットは、データの単一ビットを表し、かつ
前記受信するための手段は、パルスの前記セットを非コヒーレントに受信する、請求項７０に記載の装置。
【請求項８３】
パルスを提供するためのコンピュータプログラム製品であって、少なくとも１つのコンピュータに、
可変パルス間時間期間に応じてパルスを受信させ、かつ
前記パルスの受信間でデューティサイクリングを提供させる、
実行可能なコードを有するコンピュータ可読媒体を備えた、コンピュータプログラム製品。
【請求項８４】
無線通信のためのヘッドセットであって、
可変パルス間時間期間に応じてパルスを受信するように構成された受信器と、
前記パルスの受信間でデューティサイクリングを提供するように構成された状態コントローラと、
受信されたパルスの少なくとも一部に基づき可聴出力を提供するように構成された変換器と、
を備えるヘッドセット。
【請求項８５】
無線通信のためのウオッチであって、
可変パルス間時間期間に応じてパルスを受信するように構成された受信器と、
前記パルスの受信間でデューティサイクリングを提供するように構成された状態コントローラと、
受信されたパルスの少なくとも一部に基づき可視出力を提供するように構成されたディスプレイと、
を備えるウオッチ。
【請求項８６】
無線通信のための医療デバイスであって、
可変パルス間時間期間に応じてパルスを受信するように構成された受信器と、
前記パルスの受信間でデューティサイクリングを提供するように構成された状態コントローラと、
送信器による伝送のための検知されたデータを生成するように構成されたセンサと、
を備える医療デバイス。
【発明の詳細な説明】
【米国特許法第１１９条の下での優先権の主張】
【０００１】
本出願は、共通に所有される２００６年４月２６日に出願された米国仮特許出願第６０／７９５４３５号（代理人ドケット第０６１２０２Ｐ１号）、および２００６年４月２８日に出願された米国仮特許出願第６０／７９５７７１号（代理人ドケット第０６１２０２Ｐ２号）の優先権を主張し、各仮特許出願の開示は参照によって本明細書に組み込まれる。
【技術分野】
【０００２】
本出願は、一般に無線通信に関し、様々な態様において、パルス間デューティサイクリング（inter-pulse duty cycling）、デューティサイクリングパワースキーム（power scheme）、サブパケット通信、および、無線デバイスと複数の周辺装置（multiple peripheral）との間の無線通信に関する。
【背景技術】
【０００３】
無線通信システムは、様々なエンドユーザをサポートするように設計される。ここで、１つ以上のトレードオフは、カバレッジエリア、通信帯域幅、データ転送レート、接続容易性、パワー消費、および他のシステムパラメータに関してなされる。例えば、セルラ電話（cellular telephone）ネットワークは、非常に広いエリアにわたる無線カバレッジを提供し、かつ接続容易性を提供するように最適化される。対照的に、Ｗｉ−Ｆｉネットワークなどの無線ローカルエリアネットワークは、無線カバレッジエリアのサイズおよび恐らく接続容易性を犠牲にして、高速接続性を提供するように最適化される。他方、無線ボディエリアネットワーク（wireless body area network）または無線パーソナルエリアは、さらにより小さい無線カバレッジエリアの使用を介して達成される低パワー消費を提供するように最適化される。
【０００４】
後者のネットワークの形態の一実施例として、無線パーソナルエリアネットワークは、家庭または小さなオフィスにおけるデバイスの接続性を提供し、あるいは、個人によって搬送されるデバイスの接続性を提供するために使用される。典型的なシナリオにおいて、無線パーソナルエリアネットワークは、３０メートル程度の範囲内のデバイスの接続性を提供する。いくつかのアプリケーションにおいて、無線パーソナルエリアネットワークを構成する１つ以上のデバイスは携帯デバイスである。例えば、セルホンは、Ｂｌｕｅｔｏｏｔｈ（登録商標）などの無線パーソナルエリアネットワークを介してヘッドセットと通信することができる。
【０００５】
一般に、そのような携帯デバイスのパワー消費を低減することが望ましい。例えば、より少ないパワーを消費するデバイスは、より小さいバッテリを利用することができ、またはより少ない頻度のバッテリ再充電またはバッテリ交換で済ませられる。前者のシナリオにおいて、デバイスは、潜在的に、より小さな形態要因（form factor）でかつより低いコストで製造される。後者の場合に、デバイスは、ユーザの使用に、より便利であり、あるいは、所有者により低い全体コストを提供することができる。
【０００６】
Ｂｌｕｅｔｏｏｔｈ（例えば、ＩＥＥＥ８０２．１５．１）およびＺｉｇｂｅｅ（例えば、ＩＥＥＥ８０２．１５．４に基づく）などのいくつかのパーソナルエリアネットワークは、デバイスの全体パワー消費を低減するためにパワーダウン戦略を活用する。例えば、デバイスがパケットを伝送しまたは受信した後、デバイスは、所定の時間期間、デバイスの所定部分（例えば無線）をパワーダウンする。ここで、伝送側では、デバイスは、送信する他のパケットが存在するまで低いパワー状態に留まる。逆に、受信側では、デバイスは、他のデバイスがデータを伝送することを試みるかどうかを決定するために、定期的な間隔で低いパワー状態から目覚める。
【０００７】
所定のボディエリアネットワークアプリケーションにおいても低パワーデバイスを用いることが望ましい。典型的な構成において、ボディエリアネットワークは、個人によって着用され、または搬送される、あるいは車両、部屋、またはいくつかの他の比較的より小さなエリア内に組み込まれ、または配置されるデバイス間の接続性を提供する。従って、ボディエリアネットワークは、いくつかの実施において１０メートル程度の無線カバレッジエリアを提供する。いくつかのアプリケーションにおいて、ボディエリアネットワークを構築するデバイスは携帯デバイスであり、または、好ましくは比較的低保守デバイスである。その結果、比較的小さな量のパワーを消費するデバイスはこれらおよび他のタイプのアプリケーションで有利に使用される。
【発明の開示】
【発明の概要】
【０００８】
本開示のサンプル態様の概要を以下に述べる。本明細書における態様に対する任意の参照は、開示の１つ以上の態様を参照することを理解されたい。
【０００９】
本開示は、いくつかの態様において、無線ボディエリアネットワーク、無線パーソナルエリアネットワーク、またはいくつかの他のタイプの無線ネットワークリンクを介して通信するデバイスに対する低パワー無線通信技術に関する。いくつかの態様において、通信は超広帯域（ultra-wideband）通信を備える。例えば、ネットワークまたはリンク上を伝播するシグナリングは５００ＭＨｚ以上程度の帯域幅を有する。
【００１０】
本開示は、いくつかの態様において、インパルスベース（impulse-based）の通信に関する。いくつかの実施において、対応するシグナリングパルスは、超広帯域パルスを備える。例えば、いくつかの実施において、各伝送されたパルスの持続期間は１ナノ秒以下の程度である。いくつかの実施において、パルスは、また、比較的低いデューティサイクルを有して生成される。すなわち、パルス繰り返し期間(pulse repetition period)はパルスの持続期間に対して比較的長い。
【００１１】
本開示は、いくつかの態様において、パルス間デューティサイクリングに関する。ここで、デューティサイクリングは、パルス伝送間、パルス受信間、またはその両方（例えば、連続する伝送および受信パルス間）でいくつかの方法でデバイスによって消費されるパワーを低減することを参照する。いくつかの実施において、パワー消費は、デバイスの１つ以上の無線回路（例えば、構成要素の一部、全ての構成要素、いくつかの構成要素）を不能(disable)にする（例えば、パワーをオフにする）ことによって低減される。いくつかの実施において、パワー消費は、デバイスの１つ以上の無線回路に関するクロック信号の周波数を低下することによって低減される。
【００１２】
いくつかの態様において、パルスは、可変のパルス間時間期間(variable inter-pulse time durations)に従って生成される。例えば、パルス繰り返し期間は、パルスの異なるセットが異なる持続期間によって分離されるように変えられる。いくつかの実施において、パルス間時間期間は、時間ホッピングシーケンス（time hopping sequence）に従って変えられる。
【００１３】
いくつかの態様において、パルス繰り返し期間は、動的にデータ符号化に依存する。例えば、チャネルに関連付けられるパルス繰り返しレートは、可変レート符号器（例えば、ソース符号器（source encoder）またはチャネル符号器）によるデータ出力のデータレートにおける任意の変化に対応するように調整される。その結果、パルス間デューティサイクリングに関するパワーオン時間は、符号化スキーム（coding scheme）に依存する。例えば、符号器からのデータのデータレートの減少は、伝送されるパルスに対してより低いデューティサイクルの使用を可能にする。
【００１４】
本開示は、いくつかの態様において、パルス間デューティサイクリングに従って容量性要素を充電および放電することに関する。例えば、容量性要素は、パルスが伝送または受信されないときに充電され、次に、パルスが伝送または受信されるときにデバイスを給電するために放電される。このように、パルス間デューティサイクリングのパワーオン時間の間のデバイスのバッテリからのピーク電流消費は、デバイスのバッテリから引き出される平均電流に対してより良好に調和される。
【００１５】
本開示は、いくつかの態様において、共通周波数帯域でのサブパケットデータの同時送受信に関する。例えば、パケットの少なくとも一部を備える１つ以上のパルスの伝送後に、他のパケットの一部に関連付けられる１つ以上のパルスが同じ周波数帯域を介して受信される。パルスのこの受信の後には、同じ周波数帯域を介して、パケットの少なくとも一部を備える１つ以上のパルスの伝送が続く。
【００１６】
本開示は、いくつかの態様において、無線デバイス（例えば、セルホン）と２つ以上の周辺装置（peripheral）（例えば、ヘッドセット）との間の通信に関する。いくつかの態様において、無線デバイスは１つ以上の無線通信リンクを介して２つ以上の周辺装置にマルチキャストする。いくつかの態様において、周辺装置は１つ以上の無線通信リンクを介して２つ以上のデバイス（例えば、無線デバイスおよび他の周辺装置）にマルチキャストする。いくつかの態様において、このマルチキャスティングは、共通の周波数帯域を介したマルチキャスト関連サブパケットトラフィックの同時伝受信を含む。
【００１７】
本開示のこれらおよび他の特徴、態様および利点は、以下の詳細な記載、添付の請求項、および付属の図面に関して考慮したとき、より完全に理解される。
【００１８】
通常の慣例に従って、図面に示された様々な特徴は、同一縮尺に描かれていないことがある。従って、様々な特徴の寸法は、明瞭性のために任意に拡大または縮小され得る。さらに、いくつかの図面は、明瞭性のために単純化され得る。このように、図面は、所与の装置（例えば、デバイス）または方法の全ての要素を描くものではない。最後に、同様の参照符号は明細書および図面を通して同様の特徴を示すために使用される。
【詳細な説明】
【００１９】
本開示の様々な態様が以下に記載される。本明細書における教示は広範な形態で具体化することができ、また、本明細書に開示される任意の特定の構造、機能またはそれら両方は、単に代表的なものであることは明らかである。本明細書の教示に基づいて、当業者は、本明細書に開示される態様は任意の他の態様とは無関係に実施されることができ、また、２つ以上のこれら態様は様々な方法で組み合わせられることを理解するであろう。例えば、本明細書に示される任意の数の態様を使用して装置が実施され、または方法が実行されることができる。さらに、本明細書に示される１つ以上の態様に加えて、または１つ以上の態様以外の他の構造、機能性または構造および機能性を使用してそのような装置が実施され、またはそのような方法が実行されることができる。例えば、いくつかの態様において、パルスを提供する方法は、符号化された情報を生成することと、符号化された情報に基づいてパルスを伝送することと、パルスの伝送間をデューティサイクリングすることとを備える。さらに、いくつかの態様において、パルスを提供するこの方法は、可変レート符号化に基づいてパルスの伝送タイミングを適合することも備える。
【００２０】
図１は、１つ以上の無線通信リンク（例えば、通信リンク１１０、１１２、および１１４）を介して互いに通信するように構成された、いくつかの無線通信デバイス１０２、１０４、１０６、および１０８を含むシステム１００のサンプル態様を示す。各デバイス１０２、１０４、１０６および１０８それぞれは、他のデバイスとの無線通信を確立するために１つ以上の信号プロセッサ１１６、１１８、１２０および１２２、ならびにＲＦ無線構成要素１２４、１２６、１２８および１３０（例えば、無線トランシーバ）を含む。
【００２１】
いくつかの実施において、デバイス１０２、１０４、１０６および１０８は、無線ボディエリアネットワークまたはパーソナルエリアネットワークの少なくとも一部を形成する。例えば、デバイス１０２は、セルホン、携帯情報端末、または個人エンターテイメントデバイス（例えば、音楽またはビデオプレーヤ）などの無線ステーションを備える。いくつかの実施において、デバイス１０４、１０６および１０８は、デバイス１０２の周辺デバイスを備える。例えば、デバイス１０４は１つ以上の入力デバイス１３２（例えば、マイクロホン）および１つ以上の出力デバイス１３４（例えば、スピーカ）を含むヘッドセットを備える。デバイス１０６は１つ以上の入力デバイス１３６（例えば、心拍センサなどのセンサ）を含む医療デバイスを備える。デバイス１０８は１つ以上の出力デバイス１３８（例えば、ディスプレイ）を含むウオッチを備える。デバイス１０２、１０４、１０６および１０８は他の実施においては他のタイプのデバイスを備えることができ、また他のタイプの無線通信リンク（例えば、ネットワーク）を介して通信することが理解されるであろう。
【００２２】
デバイス１０２、１０４、１０６および１０８は、いくつかの場合において、互いに他のデバイス（図１に示されない）に様々なタイプのデータを送信する。例えば、デバイス１０４は、デバイス１０４またはデバイス１０８によって出力されるべきデータ（例えば、マルチメヂィア情報またはメッセージ）を生成しまたは転送する。同様に、デバイス１０６は、任意の１つのデバイス１０２、１０４および１０８によって出力されるべきデータ（例えば、心拍情報）を生成する。ここで、マルチメヂィア情報は、例えば、音響、ビデオ、画像、データまたは２つ以上のこれらタイプの情報のいくつかの組み合わせを備える。
【００２３】
デバイス１０２は１つ以上の他の通信リンク（図示されていない）を介して他のデバイスと通信する。例えば、デバイス１０２は、他のネットワーク（例えば、セルラネットワーク、インターネットなど）に関連しまたは他のネットワークに接続性を提供する有線または無線アクセスポイント（例えば、基地局）との通信を確立するように適応されたローカルエリアまたはワイドエリア通信プロセッサ１４０を含む。従って、任意のデバイス１０２、１０４または１０６によって生成されるデータは、いくつかの他のデバイス（例えば、他のネットワークに取り付けられた電話機またはコンピュータ）に伝送される。同様に、他のデバイスは、任意のデバイス１０２、１０４または１０８によって出力されるべきデータを提供する。
【００２４】
以下に、より詳細に議論されるように、信号プロセッサ１１６、１１８および１２０は、他のデバイスに伝送されるべきまたは他のデバイスから受信されたデータを処理するために、それぞれ適切なソース符号化関連機能性１４２、１４４および１４６を提供する。例えば、そのようなソース符号化は、可変レート符号化、波形符号化、パルスコード変調符号化、信号デルタ変調符号化、または何がしかのタイプの符号化を含む。
【００２５】
いくつかの実施において、デバイス１０２、１０４、１０６および１０８は、インパルスベースの物理層を介して通信する。いくつかの態様において、物理層は比較的短い長さ（例えば、数ナノ秒以下程度）および比較的広い帯域幅を有する超広帯域パルスを利用する。例えば、超広帯域パルスは２０％以上程度の比帯域幅を有し、５００メガヘルツ以上程度の帯域幅を有し、またはその両方を有する。
【００２６】
図２は、例えば、図１の符号器からの情報に基づいて生成されるいくつかのパルス波形の単純化された実施例を示す。波形２０２は、伝送されるべき一連のパルス２０４を示す。波形２０６は、それらが、帯域通過フィルタを通過した後で、伝送前に現れる、パルス２０４に対応するパルス２０８を示す。波形２１０は、それらが、通信媒体を通しての伝送後に受信器に現れる、パルス２０８に対応するパルス２１２を示す。ここで、パルス２１２は、パルス２０８が受信器への通信媒体を通過するときに現れるマルチパス遅延拡散（multipath delay spread）に起因して比較的広いものとなる。
【００２７】
パルス２０４は、他のデバイスへ伝送されるべき符号化されたデータに基づいて変調される。パルス２０４の変調は、例えば、パルス変調およびパルス位置変調を含む様々な形態をとり得る。さらに、いくつかの実施において、パルスは、伝送参照フォーマット（図示されず）で伝送される。
【００２８】
いくつかの態様において、インパルスベースの超広帯域シグナリングは、超低パワー通信を提供するために非常に低いスペクトル効率で使用されることができる。特に、図２の変調形態において、インパルスは、時間の比較的長い期間によって分離される。例えば、各パルス２０４の持続期間２１４は、１ナノ秒未満（例えば、１００ピコ秒）であり、一方、パルス繰り返し間隔２１６は、１００ナノ秒から１０マイクロ秒程度である。そのような場合において、対応する伝送器および受信器の回路（例えば、無線フロントエンド（radio front end））は、それらが、パルスを伝送または受信するために必要なときだけにパワーオンされ、残りの時間はパワーオフされるように、デューティサイクリングされる。
【００２９】
一実施例として、毎秒１０Ｍｂｉｔ程度のデータレートは、１００ナノ秒毎にパルスを送信または受信することにより、１．５ＧＨｚの帯域幅を使用してサポートされる。各パルス２０８の持続期間が１ナノ秒の程度である実施例において、対応する伝送器は時間の１パーセント未満でパワーオンされる。すなわち、伝送器は時間期間２１８の間にパワーオンされ、かつライン２２０によって表される時間期間の間にパワーオフされる。
【００３０】
さらに、各受信されたパルス２１２の持続期間２２２が１０ナノ秒から２０ナノ秒の程度である実施例において、対応する受信器は時間の１０パーセント未満の間にオンされる。ここで、受信器は時間期間２２２の間にパワーオンされ、かつライン２２４によって示される時間期間の間にオフにされる。
【００３１】
図２に示されるようなパルス間デューティサイクリングの使用によって、比較的多い量のパワーを消費する伝送器および受信器に関連する回路が、デバイスが実際に伝送または受信するときにだけパワーオンされるので、パワー消費の低減を達成することができる。対照的に、ＢｌｕｅｔｏｏｔｈおよびＺｉｇｂｅｅなどの従来のアプローチは、比較的低い平均パワー消費を達成するための試みにおけるパケットレベルでの微視的なデューティサイクリングに依存する。すなわち、これらのアプローチにおいては、伝送器および受信器回路は、パケット全体の伝送または受信の間にパワーオンされ、それによって本明細書で教示されるパルス間デューティサイクリング技術と比べてかなりのパワーを消費する。
【００３２】
低デューティサイクルのインパルスベースシグナリングとパルス間デューティサイクリングの使用は、様々な他の特徴とともに有利に用いることができる。例えば、いくつかの態様において、パルス間時間期間は、時間にわたって変化させることができる。例えば、いくつかの実施は、パルスの時間ホッピング（time hopping）を用いることができ、それによってパルスの伝送時間は、複数のアクセスおよびエルゴート処理利得（ergodic processing gain）を容易にするためにランダムにディザされる（dithered）。いくつかの態様において、インパルスベース信号のパルス繰り返しレートは、可変レート符号器によって提供されるデータの現在のデータレートに従って調整される。いくつかの態様において、パルス間デューティサイクリングのパワーオン時間の間のデバイスのピーク電流消費は、デバイスの平均電流引き出しに対して、より良好に調和される。ここで、容量性要素は、パルス間デューティサイクリングのパワーオフ時間の間に充電され、パルスを伝送および受信するためにパワーを提供するように、パワーオン時間の間に放電される。いくつかの態様において、インパルスベースシグナリングは、共通周波数帯域を介してのサブパケットデータの効果的な同時送受信を提供するために使用される。いくつかの態様において、無線デバイスはいくつかの周辺装置と無線でマルチキャストすることができる。本明細書で教示されるように、インパルスベースシグナリングのこれらおよび他の態様および潜在的な利点は、図３−図１５に関連して、より詳細に以下に記載される。
【００３３】
図３は、例えば、図１の１つ以上の無線デバイスの機能性の少なくとも一部を実施することができる装置３００の単純化された実施例を示す。装置３００は、受信されたインパルスベース信号を伝送しかつ処理するためにインパルスベース信号を生成するためのトランシーバ３０２（例えば、図１の無線装置に類似する）を含む。装置は、また、伝送されるべきデータを処理するため、または受信されたデータを処理するための１つ以上のプロセッサ３０４および３０６（例えば、図１の信号プロセッサに類似する）を含む。さらに、装置３００は、図１の対応するデバイスに類似する１つ以上の入力デバイス３０８および出力デバイス３１０を含む。以下により詳細に論じられるように、装置３００は、また、パルス間デューティサイクリングを容易にするための状態コントローラ３１２と、パルスの伝送および受信のためにパワーを提供するための充電回路を含むパワーコントローラ３１４と、パルスの相対タイミング（例えば、パルス間時間期間）を制御するための１つ以上のパルスタイミングコントローラ３１６と、符号化スキーム（例えば、ソース符号化スキームまたはチャネル符号化スキーム）に従ってパルス間時間期間（例えば、パルス繰り返しレート）を適合するための符号化適合コントローラ３１８を含む。
【００３４】
装置３００のサンプル動作が、図４−図８、図１０および図１２のフローチャートに関連して、より詳細に以下に議論される。便宜のために、これら図面の動作（または本明細書で論じられまたは教示される任意の他の動作）は特定の構成要素によって実行されるとして記載される。しかしながら、これら動作は他のタイプの構成要素によって実行されることができ、かつ異なる数の構成要素を使用して実行されることができることが理解されるであろう。本明細書に記載される１つ以上の動作が所与の実施で用いられないことも理解されるであろう。
【００３５】
図４および図５は、それぞれインパルスベース信号の伝送および受信に関連して実行されるいくつかのサンプル動作を示す。ブロック４０２および５０２は、例えば、伝送器と受信器との間の通信チャネルを確立するために実行される動作に関する。従って、これらの動作は、関連手順（association procedure）またはいくつかの他の手順の一部である。
【００３６】
ブロック４０２および５０２の動作は、チャネルを介する信号の伝送および受信を容易にするトランシーバ動作（例えば、プロセッサ３０４および３０６によって実行される）に関連する様々な通信パラメータを選択することを含む。そのような動作は、伝送側で、例えばソース符号化、ＭＡＣパケット化（packetizing）およびフォーマット化（formatting）、チャネル符号化、インタリーブ化（interleaving）、およびスクランブル化（scrambling）を含む。デスクランブル化、デインタリーブ化、チャネル復号化、ＭＡＣフレーム化の取り除き、およびソース復号化などの相補動作が受信側で実行される。
【００３７】
ブロック４０２および５０２の動作は、パルスの生成に関連するパラメータを選択することを含む。例えば、特定のパルス繰り返しレートがチャネルに関して選択される。さらに、いくつかの実施において、タイムスロットのセットがパルスを時間ホッピングするために規定される。この場合、ブロック４０２および５０２は、その内で各連続するパルスが現れる特定のタイムスロットを規定する時間ホッピングシーケンスを選択することを含む。例えば、いくつかの実施において、ランダムまたは擬似ランダムシーケンスは、トランシーバ３０２に生成されかつ提供される。
【００３８】
次に図４の伝送動作を参照すると、入力デバイス３０８または装置３００のいくつかの他の構成要素が伝送されるべき情報（データ）を提供した後、１つ以上のプロセッサ３０４および３０６は、伝送のための情報を処理する（ブロック４０４）。図３の実施例において、符号器３２０はデバイス３０８からの情報をソース符号化する。いくつかの実施において、ソース符号化は、チャネルを介しての情報の伝送を容易にするために、アナログ波形をデジタル波形に変換することに関連する。そして、ソース符号化は、例えば波形符号化、パルスコード変調符号化、またはシグマデルタ変調符号化を備える。いくつかの実施において、ソース符号器３２０は、無損失（lossless）／損失（lossy）符号器を備える。
【００３９】
プロセッサ３０６は、ブロック４０２に関連して上記で議論された動作などの他の伝送に関連する動作を実行する。ブロック４０６によって表されるように、いくつかの実施において、装置３００はチャネル符号化スキームを実施するチャネル符号器３２２を含み、それによって複数のパルスは、伝送されるべき情報の各ビットを表すために使用される。符号化スキームの実施例は、図１５に関連して以下により詳細に記載される。
【００４０】
符号化された情報は、次に、変調されたパルスを生成しかつ伝送する伝送器３２４に供給される。ブロック４０８によって表されるように、パルス生成器３２６は、符号化された情報に基づき（例えば、それによって変調され）パルスを生成する。ここで、いくつかの実施は、例えばパルス位置変調またはオン／オフキーイング（on/off keying）などの非コヒーレント変調技術を使用する。対照的に、いくつかの実施は、例えば伝送された参照技術などのコヒーレント変調アプローチを使用する。そのような変調技術は、その後に能動帯域通過フィルタ（passive bandpass filter）が続くインパルス生成器を使用して伝送を容易にする。この場合、伝送器はパルスの能動持続期間の間にだけオンされる。本明細書で論じられるように、そのようなパルスは、数ナノ秒または１ナノ秒未満の程度の持続期間を有する。
【００４１】
各生成されたパルスの時間における実際の位置は、選択されたパルス繰り返しレート、時間ホッピングシーケンス、またはいくつかの他の１つまたは複数のパラメータに依存する（ブロック４１０）。いくつかの態様において、パルスは、可変パルス間の時間持続期間に従って生成される。例えば、可変パルス間の時間持続期間は、可変パルス繰り返し期間、時間ホッピング、または可変符号化に依存する。従って、パルス生成器３２６は、パルス繰り返しレートコントローラ３３４および時間ホッピングシーケンスコントローラ３４２から受信した制御信号に基づいてパルスを生成する。図６に関連して以下に議論されるように、いくつかの実施において、パルス繰り返しレートは、ソースまたはチャネル符号化に基づき動的に適合される。パルス生成器３２４によって生成されたパルスは、パワー増幅器３２８および帯域通過フィルタ３３０に供給され、次に、アンテナ３３２を介して伝送される。
【００４２】
図６を参照すると、いくつかの実施において、符号器３２０、符号器３２２あるいはその両方は、可変レート符号器を備える。そのような場合において、符号器３２０または３２２は、符号器３２０または３２２に対する入力のコンテンツに応じて変化するレートでデータを出力する。一実施例として、符号器３２０は、入力デバイス３０８（例えば、マイクロホン）から受信した音声波形を符号化する可変レート音声符号器（ボコーダ（vocoder））を備える。ここで、音声波形が時間の所与の期間にわたる連続スピーチに関するイベントにおいて、符号器３２０は、その時間の期間の間にフルレート（例えば、毎秒１６Ｋサンプル）でデータを出力する。対照的に、音声波形が他の時間の期間にわたる断続スピーチに関するイベントにおいて、符号器３２０は、その時間の期間の間にハーフレート（例えば、毎秒８Ｋサンプル）でデータを出力するようにスイッチングする。
【００４３】
従って、図６におけるブロック６０２で、適切な可変レート符号化スキームが初期的に選択される。この動作は、例えば、ブロック４０２および５０２に関連して上記に記載されるような関連手順の間に実行される。
【００４４】
ブロック６０４によって表されるように、符号器３２０は、入力デバイス３０８から符号化されるべき情報を受信する。符号器３２０は、次に、受信情報のコンテンツに基づいて適切な符号レート（例えば、フルレート、ハーフレートなど）を選択する（ブロック６０６）。例えば、符号化レートは、規定された時間の期間にわたる到来情報の平均データレートに基づく。同様の動作は、次に、チャネル符号器３２２に関してブロック６０４および６０６に関連して実行される。
【００４５】
ブロック６０８によって表されるように、符号化適合コントローラ３１８は、次に、１つまたは複数の符号レートに基づいて、パルスの伝送タイミングを適合する。一実施例として、符号器３２０がフルレートでデータを出力するとき、パルスに関するパルス繰り返しレートは２００ナノ秒毎に出力するように規定される。対照的に、符号器３２０がハーフレートでデータを出力するとき、パルスに関するパルス繰り返しレートは４００ナノ秒毎にパルスを出力するように規定される。このために、コントローラ３１８は、パルス生成器３２６に関するパルス繰り返しレートを規定するパルス繰り返しレートコントローラ３３４を制御する。同様の適合化は、チャネル符号器３２２に関連してブロック６０８で行われる。
【００４６】
図４に関連して上記で論じられたと同様の方法で、伝送器３２４は、ブロック６１０で符号化された情報に従って変調されたパルスを生成する。次に、ブロック６１２で、伝送器３２４は、選択された伝送タイミング（例えば、可変パルス間の時間持続期間）に従って符号化された情報を伝送する。
【００４７】
次に図７を参照すると、パルスの伝送（および以下に議論される受信と同様に）も、パルス間デューティサイクリングを含む。このために、状態コントローラ３１２は、パルスが伝送または受信されるべきでないときに、装置３００のパワー消費を低減するために装置３００の１つ以上の回路を制御する。典型的な実施において、トランシーバ３０２のＲＦフロントエンドに関連する回路は、トランシーバ３０２がパルスを伝送または受信しないときにオフにされる。そのような回路は、例えば、低雑音増幅器、電圧制御発振器、検出器、ミキサ、利得バッファ、電流変換器、平方器（squarer）、積分器（integrator）、パワー増幅器などを含む。いくつかの場合において、いくつかのこれら回路はオフにされ、または他の方法で不能化(disabled)される。一般に、そのような回路は装置の他の回路（そのほとんどは、図３に示されていない）と比べて比較的大きな量のパワーを消費する。
【００４８】
いくつかの実施において、状態コントローラ３１２は、装置３００の１つ以上の回路を一時的に不能化する回路ディセーブラ構成要素（circuit disabler component）３３６を備える。例えば、回路ディセーブラ３３６は、１つ以上の回路（例えば、アナログ構成要素）へのパワーを遮断し、または、例えば回路に所定の機能性をディセーブルさせる回路に信号を送る。前者の場合、回路ディセーブラ３３６は、装置３００の１つ以上の回路にパワーを選択的に提供するパワーコントローラ３１４と協働する。
【００４９】
いくつかの実施において、状態コントローラ３１２は、クロックレート低減器（reducer）構成要素３３８を備える。クロックレート低減器３３８は、装置３００の１つ以上の回路を駆動する１つ以上のクロック信号のクロックレートを調整する。ここで、クロックレートを調整することは、トランシーバ３２４のいくつかのデジタル回路を駆動するクロック信号の周波数を低減することを含む。このように、１つまたは複数の回路によって消費されるパワーは、クロックレートにおける低減の結果として低減することができる。いくつかの場合において、クロックのレートはゼロＨｚに低減される（すなわち、クロックはオフにされる）。
【００５０】
図７の動作を参照すると、ブロック７０２によって表されるように、状態コントローラ３１２は、パルスが伝送または受信されるべきかどうかを決定するために、装置３００の他の構成要素と協働する。例えば、プロセッサ３０４および３０６、トランシーバ３０２またはパルスタイミングコントローラ３１６は、パルスがトランシーバ３０２によって出力されるべきである直前に、状態コントローラ３１２への指示を提供する。
【００５１】
ブロック７０４によって表されるように、状態コントローラは、パルス間デューティサイクル状態をパワーオン状態に設定する。その結果、状態コントローラ３１２は、それによって、任意の以前にディセーブルされた回路をイネーブル(enable)にし（例えば、回路へのパワーをオンにする）、または全てのクロックをそれらの通常のクロックレートに戻す。図２の実施例において、ブロック７０４の伝送側動作は時間期間２１８の始まりと一致する。
【００５２】
ブロック７０６によって表されるように、伝送器３２４は、次に、本明細書で議論されるようにパルスを生成し、伝送する。従って、図２の実施例において、パルス２０８が生成され、アンテナ３３２に供給される。
【００５３】
ブロック７０８によって表されるように、パルスが伝送された後、状態コントローラ３１２はパルス間デューティサイクル状態を切り替えて、パワーオフ状態へ戻す。回路ディセーブラ３３６は、このように適切な回路をディセーブルし、および／またはクロックレート低減器３３８は、上記で論じられたように１つ以上のクロックの周波数を低減する。図２の実施例において、ブロック７０８の伝送側動作は、時間期間２１８の終了に一致する。
【００５４】
ブロック７１０および７１２によって表されるように、装置３００は、他のパルスが伝送される必要があるまで（または、以下に論じられるように、パルスが受信される必要があるまで）、パワーオフ状態で維持される。パルスがパルス繰り返しレートで伝送されるべきイベントにおいて（例えば、現在伝送されるべきデータが存在する）、パワーオフ状態の持続期間は図２の実施例においてパルス２０８間の時間期間２０２に対応する。対照的に、伝送されるべきデータが存在しないなら、装置３００は、他のパルスが伝送されるべきときまでパワーオフ状態に維持される。図７の動作は、このように、パルスが伝送される必要があるときはいつでも、必要に応じて繰り返される。
【００５５】
受信側で、装置３００は、図４および図７に関連して上記で論じられた動作に対して相補的な動作を実行する。これら動作は、次に、図５に関連してより詳細に論じられる。
【００５６】
上記で論じられたように、ブロック５０２で、様々なパラメータが、チャネルを介しての通信に関して特定される。これらパラメータは、例えば、パルス繰り返しレート、適用可能であれば時間ホッピングシーケンス、および、パルスタイミングが可変レート符号化に基づいて適合されるかどうかを含む。
【００５７】
ブロック５０４によって表されるように、適用可能であれば、パルスの繰り返しのタイミングは、符号レートに基づいて適合される。これは、例えば、伝送されているまたは伝送されるべきデータが特定の符号レートに関連付けられている指示を受信することを含む。
【００５８】
ブロック５０６によって表されるように、受信器３４０はアンテナ３３２を介して到来パルスを受信する。受信されたパルスは帯域通過フィルタ３４４に、そして次に低雑音増幅器３４６に供給される。パルスプロセッサ３４８は、パルスによって表される情報を抽出する（例えば復調する）ために、必要に応じてパルスを処理する（ブロック５０８）。上で論じられたように、パルスは、可変パルス間の時間持続期間に従って受信される。
【００５９】
非コヒーレント変調を使用するいくつかの実施において、受信器３４０は、ダウンコンバーション（down-conversion）のために緩くロックされた（loosely locked）ＶＣＯを組み込むことができる。ここで、ＶＣＯはインパルス間（例えば、本明細書で論じられるパワーオフ状態の間）にオフされる。いくつかの実施において、そのようなＶＣＯは、位相同期ループを利用しない。ここで、非コヒーレントは、復調を１つのパルスから次のパルスへの位相または周波数差異に対して比較的鈍感(insensitive)にする。
【００６０】
いくつかの実施において、受信器３４０は、サブサンプリング受信器として機能する超再生（super-regenerative）フロントエンドを用いる。ここで、超再生フロントエンドは、単一の利得段を再使用して、時間の短い期間（例えば、数ピコ秒の程度）の間に、受信された信号をサンプリングする。超再生フロントエンドの次にはエネルギ検出段が続く。
【００６１】
再び図５を参照して、ブロック５１０で、受信された情報は、出力デバイス３１０にデータを提供するためにプロセッサ３０４および３０６によって処理される。このために、プロセッサ３０６は、チャネル復号化動作を実行するチャネル復号器３５０を備える。いくつかの実施において、チャネル復号化動作は図１５に関連して以下に論じられる動作に類似する。さらにプロセッサ３０４はソース復号器３５２を備える。上で論じられた動作に対して相補的に、ソース復号器３５２は、例えば、出力デバイス３１０による出力のために、波形符号化されたデータまたはシグマデルタ変調されたデータをアナログデータに変換する。さらに、チャネル復号器３５０、ソース復号器３５２あるいはその両方は、可変レート復号器を備える。
【００６２】
上述されたように、パルス間デューティサイクリングは、また、パルスの受信に関連して用いられる。再び図７を参照すると、ブロック７０２によって表されるように、状態コントローラ３１２は、パルスが受信されるべきかどうかを決定するために、装置３００の他の構成要素と協働する。例えば、プロセッサ３０４および３０６、トランシーバ３０２、またはパルスタイミングコントローラ３１６は、トランシーバ３０２によるパルスの予想される受信直前に、状態コントローラ３１２に指示を提供する。ここで、パルスの受信の予想される時間は、現在のパルス繰り返しレート、適用可能であれば現在の時間ホッピングシーケンス、現在の符号化レート、受信器３４０に関して規定されたパルス走査間隔、または何がしかの他の１つまたは複数の基準に基づく。
【００６３】
ブロック７０４によって表されるように、パルスが予想されるイベントにおいて、状態コントローラ３１２は、パルス間デューティサイクル状態をパワーオン状態に設定する。図２の実施例において、伝送側に関するブロック７０４の動作は、時間期間２２２の始まりと一致する。
【００６４】
ブロック７０６によって表されるように、受信器３４０は、次に、本明細書に論じられたように、受信されたパルスを処理する。図２の実施例において、受信されたパルスは、パルス２１２で表される。
【００６５】
ブロック７０８によって表されるように、パルスが受信された後、状態コントローラ３１２は、パルス間デューティサイクル状態をスイッチしてパワーオフ状態へ戻る。図２の実施例において、ブロック７０８の受信側動作は時間期間２２２の終了に一致する。
【００６６】
ブロック７１０および７１２によって表されるように、装置３００は、他のパルスが受信されるべきときまで（または、以下に論じられるように、パルスが伝送される必要があるまで）、パワーオフ状態で維持される。パルスがパルス繰り返しレートで受信されるべきイベントにおいて（例えば、現在受信されるべきデータが存在する）、パワーオフ状態の持続期間は、図２の実施例においてパルス２１２間の時間期間２２４に対応する。対照的に、伝送されるべきデータが存在しないなら、装置３００は、他のパルスが受信される必要があるまでパワーオフ状態に維持される。図７の動作は、このように、パルスが受信される必要があるときはいつでも、必要に応じて繰り返される。
【００６７】
図７の動作は、またパルスが受信された後でパルスが伝送される場合、またはその逆にも適用可能である。例えば、パルス間デューティサイクル状態はパルスの伝送の間にパワーオンに設定され、次に伝送の後にパワーオフに設定され、次にパルスが受信されたときにパワーオンに再設定される。
【００６８】
図８および図９を参照すると、いくつかの実施において、パルス処理のためのパワーを効率的に提供するために、容量性要素が、パルス間デューティサイクリングに従って選択的に充電および放電される。例えば、容量性要素は、トランシーバ３０２がパルスを伝送または受信しないときに初期的に充電される。次に、トランシーバ３０２がパルスを伝送または受信するときに、容量性要素は、パルスの伝送および受信を容易にする１つ以上の回路にパワーを提供するために放電される。そのような回路は、例えば、パワー増幅器３２８などの伝送器３２４の回路、および低雑音増幅器３４６などの受信器３４０の回路を含む。
【００６９】
いくつかの実施において、図３のパワーコントローラ３１４は、容量性要素３５４を選択的に充電および放電するように適合された充電回路を備える。いくつかの態様において、充電回路は、容量性要素３５４を、電源３５８（例えば、バッテリ）、負荷３６０（例えば、１つ以上の伝送器または受信器回路）、またはそれら両方に選択的に結合するために１つ以上のスイッチ３５６を備える。いくつかの実施において、パルスの伝送および受信の間に、パワーは容量性要素３５４および電源３５８の両方から負荷３６０に供給される。従って、充電回路は１つ以上の回路へ複数のソースからパワーを提供することを容易にする方法で構成される（例えば、１つまたは複数のスイッチ３５６が作動される）。
【００７０】
以下に図８の動作を参照すると、ブロック８０２によって表されるように、伝送器３２４がパルスを送品せずかつ受信器３４０がパルスを受信しないときに、容量性要素３５４が負荷３６０にパワーを供給しないように、充電回路が初期的に構成される。さらに、充電回路は、容量性要素３５４がこの時点で少なくとも一部を充電するように初期的に構成される。図２において、このシナリオは、時間期間２２０および２２４（例えば、状態コントローラ３１２のパワーオフ状態）と一致する。
【００７１】
ブロック８０４によって表されるように、時間におけるいくつかの時点で、装置３００は、パルスが伝送または受信される必要があることを決定する。その結果として、装置３００は、デューティサイクル状態をパワーオン状態に変化させる（ブロック８０６）。装置３００は、例えば図７に関連して上で論じられたように、これらの動作を実行する。
【００７２】
ブロック８０８によって表されるように、充電回路は、次に、パルスの伝送または受信の間に、指定された回路にパワーを提供する（ブロック８１０）。例えば、いくつかの実施において、（１つまたは複数の）スイッチ３５６は、容量性要素３５４を電源３５８によって充電されることから分離し、容量性要素３５４を負荷３６０に電流を提供するために結合する。この動作または他の類似する動作を達成するために、様々な回路が電源３５８および負荷３６０と容量性要素３５４との結合に使用されることが理解されるであろう。
【００７３】
図９は、ブロック８０２および８０８の状態間の相対電流を示すためのいくつかの波形を示す。波形９０２は、伝送器３２４または受信器３４０で引き出される電流の実施例を示す。波形９０４は、容量性要素３５４に関する充電電流（波形の上半分）および放電電流（波形の下半分）を示す。波形９０６は、電源３５８から引き出される電流の実施例を示す。図９の波形は、本明細書の基本概念を強調するために、単純化された方法で示されていることを理解されたい。実際上、実際の電流の流れは図に示される電流の流れとは著しく異なる。
【００７４】
レベル９０８、９１０および９１２は、パワーオフ状態の間の電流の流れに関する。この場合に、伝送器３２４または受信器３４０は、レベル９０８によって示されるように、比較的わずかな量の電流を引き出す。さらに、容量性要素３５４は、レベル９１０によって示されるように、このときに充電される。また電源は、レベル９１２によって示されるように、装置３００に比較的平均量のパワーを供給する。
【００７５】
レベル９１４、９１６および９１８は、破線９２０Ａと９２０Ｂとの間の時間の期間に対応するパワーオン状態の間の電流の流れに関する。この場合、伝送器３２４または受信器３４０は、波形９１４の立ち上がり部分によって示されるように、比較的大きな量の電流が引き出される。そして、容量性要素３５４は、波形９１６の立下り部分によって示されるように、この時に放電される。すなわち、パワーオフ状態の間に容量性要素３５４に蓄積された電流は、今や伝送器３２４または受信器３４０に提供される。さらに、電源３５８は、波形部分９１８によって示されるように、伝送器３２４または受信器３４０にさらなる出力電流を供給する。
【００７６】
容量性要素３５４の動作は、電源３５８によって供給されるピークパワーの量を低減するために作用することが理解されよう。例えば、バッテリは、ピークパワーレベルでより低い効率で動作する（例えば、結果として不相応により短い寿命）。従って、容量性要素３５４の動作は、電源３５８に対するピーク電流負荷を低減することによって、装置３００の全体のパワー消費を低減する。
【００７７】
充電回路は、パワーオン状態の間に適切な量のパワーを提供するために、様々な方法で実施される。例えばいくつかの実施において、１つ以上のパルスの伝送または受信の間に電源３５８が電源３５８から引き出される平均電流より実質的に多くない電流量を供給することを可能にするために、パワーオフ状態の間に容量性要素３５４に十分な充電がなされる。いくつかの実施において、上記で参照される電流の量は、電源３５８から引き出される平均電流より多くとも２０％多い量である。他のパーセンテージまたは量が他の実施において用いられ得ることが理解されよう。
【００７８】
いくつかの実施において、１つ以上のパルスの伝送または受信の間に、電源３５８が１つ以上のパルスの伝送または受信に関連するピーク電流より実質的に小さい電流の量を供給することを可能にするために、パワーオフ状態の間に容量性要素３５４に十分な充電がなされる。ここでピーク電流は、例えば伝送の間に伝送器３２４または受信の間に受信器３４２によって引き出される電流を備える。いくつかの実施において、上記で参照される電流の量は、ピーク電流より少なくとも２０パーセント少ない量である。他のパーセンテージまたは量が他の実施において用いられ得ることが理解されよう。
【００７９】
再び図８を参照すると、パルスが伝送または受信された後、デューティサイクル状態は、パワーオフ状態に戻って設定される（ブロック８１２）。従って、ブロック８１４によって表されるように、容量性要素は、ブロック８０２に関連して上で論じられたように、充電しかつパワーを供給しないように再構成される。ブロック８１６および８１８によって表されるように、上記動作は、必要に応じて、パルス間デューティサイクリングに従って容量性要素３５４を充電しかつ放電するために繰り返される。ここで、上記技術は、トランシーバ動作がパルスの伝送と受信との間をスイッチするイベントにも適用することが理解されるであろう。例えば、パルスが伝送された後、容量性要素はパワーオフ状態の間に充電され、次に、以降の受信動作の間に放電されてもよい。
【００８０】
次に図１０、図１１および図１２を参照すると、開示は、また、いくつかの態様において、実質的に同一の方法で共通周波数帯域にわたってパケットの部分を伝送および受信するためのインパルスベースシグナリングの使用に関する。ここで、パケットは、伝送のために何らかの方法で繰り返し描かれるデータセットを備える。例えば、パケットは、フォーマルプロコトルヘッダ、プリアンブル、または何らかの他の適当な描写（delineation）技術によって規定される。
【００８１】
図１０は、それらが時間の所与の期間にわたって現れるような、所与の周波数帯域内に生成される一連のパルス１０００を示す。時間期間の第１の部分の間に１つ以上のパルスが伝送される。図１０は、時間期間の第１の部分から最後に伝送されたパルス１００２を示す。時間期間のより遅い部分の間に、１つ以上のパルス１００４が受信される。次に、時間期間のさらに遅い部分の間に、１つ以上のパルス１００４が受信される。次に時間期間のより遅い部分の間に、１つ以上のパルスが再び伝送される。図１０は、時間期間の最後の部分からの第１の伝送パルス１００６を示す。図１の省略部分は、追加のパルスのセットが時間にわたって伝送されまた受信されることを示す。
【００８２】
ここで、パルス１００２、１００４および１００６の１つ以上のセットはパケットの一部を備える。すなわち、伝送されるべきパケットは異なる部分に分割され、かつパケットの各部分は１つ以上のパルスのセットとして伝送される。同様に、受信されるべきパケットは遠隔伝送器によって異なる部分に分割され、それによって遠隔伝送器は１つ以上のパルスのセットとしてそのパケットの各部分を伝送する。図１０に示されるように、異なるサブパケットに関連するパルスのこれら異なるセットの伝送および受信は、（例えば、パケット部分の交互の伝送および受信によって）所与の時間期間にわたってその時間内で散在(interspersed)される。例えば、交互にパケットのパルスを伝送し、異なるパケットのパルスを受信し、第１のパケットの次のパルスを伝送するなどである。マクロスケールでは、トランシーバは、同一の周波数帯域に同時にパケットを伝送しかつ受信するようにみえる。
【００８３】
パルスセットの特定のグループ分け（例えば図１０に示されるように）は様々な要因に依存する。例えば、いくつかのアプリケーションにおいて、ピークパワー要件に悪影響を与える比較的大きなパルスの伝送よりむしろ、連続して伝送される一連のより小さなパルスとしてその情報を代わりに表すことが望ましい。さらに、伝送パルスは受信パルスとは異なるパルス繰り返しレートで伝送され、またはその逆である。これは、例えば異なるデータレートまたは異なる処理利得の結果である。いくつかの実施において、連続して伝送されるパルス数は１００個以下のパルスの程度であり、またはパルスセット（例えば伝送パルス）の最大持続期間は２０マイクロ秒以下程度である。さらに、十分に低いデューティサイクルを維持するために（例えば、図２に関連して上で論じられたように）、いくつかの実施において、所与のパルスの持続期間は２０ナノ秒以下である。
【００８４】
いくつかの実施において、伝送パルス１００２および１００６は規定された周波数帯域内の１つの規定された符号チャネルを介して伝送され、受信されたパルス１００４は同一の周波数帯域内の他の規定された符号チャネルを介して受信される。ここで、これら異なる符号チャネルは、異なるパルス繰り返し期間、異なる時間ホッピングシーケンス、異なるスクランブル化符号、異なる変調スキーム、いくつかの異なるパラメータ、または２つ以上のこれらパラメータのいくつかの組み合わせによって規定される。
【００８５】
いくつかの実施において、所与のデバイスによって伝送および受信されたパルス（例えば、図１０に示されるような）は、１つ以上の他のデバイスに宛てられ、また、１つ以上の他のデバイスから受信される。例えば、伝送されたパルスセットは異なるデバイスによって受信されたマルチキャストストリームに関連付けられる。代わりに、伝送されたパルスの異なるセットは、異なるデバイスに（例えば、異なる符号チャネルを使用して）伝送される。同様に、受信されたパルスの異なるセットは、異なるデバイスに（例えば、異なる符号チャネルを使用して）によって伝送される。
【００８６】
図１１は、サブパケットを伝送および受信するために実行されるいくつかのサンプル動作を示す。ブロック１１０２は、所与の周波数帯域にわたるインパルスベースのパケット伝送の開始を表す。本明細書で論じられるように、インパルスベースのシグナリングスキームは、随意に時間ホッピングを用いることができる。
【００８７】
ブロック１１０４によって表されるように、プロセッサ３０６（図３）は、伝送のための情報（例えばパケットデータ）をフォーマットする。例えば、いくつかの実施において、プロセッサ３０６は、伝送されるべきパケットの現在の部分を表す一連のシンボルを生成することによって、伝送されるべき情報を符号化する。ここで、各シンボルは、このサブパケットから情報の１以上のビットを表す。いくつかの実施において、伝送されるべきデータを表すシンボルは、変調スキーム（例えば、前符号化を有するまたは有さない）によって生成されることが理解されるであろう。いずれにしてもパルス生成器３２６は各シンボルを表す１つ以上のパルスを生成する。それゆえ、図１０の各パルスセットは、シンボルの一部、シンボルの全体、またはいくつかのシンボルを表している。
【００８８】
ブロック１１０６によって表されるように、トランシーバ３０２は、また、選択された周波数帯域で実質的に同時パケット受信を開始し、また随意で時間ホッピングを開始する。ブロック１１０８によって表されるように、本明細書で教示されるようなパルス間デューティサイクリングを用いる装置３００において、デューティサイクリング状態はパワーオン状態に変更される。
【００８９】
ブロック１１１０によって表されるように、伝送器３２４は少なくとも１つのパルス（例えば、図１０におけるパルス１００２）の第１のセットを伝送する。本明細書で論じられるように、第１のパルスセットはパケットの少なくとも一部を備える。図１３および図１４に関連して以下により詳細に論じられるように、いくつかの実施において、サブパケットの同時送受信がマルチキャスト動作に関連して用いられる。ブロック１１１２によって表されるように、第１のパルスセットが伝送された後、デューティサイクリング状態は変更され、次の伝送または受信までパワーオフ状態に戻る（例えば、ブロック１１１４で）。
【００９０】
ブロック１１１４によって表されるように、受信器３４０は共通周波数帯域にわたって少なくとも１つのパルス（例えば、パルス１００４）を受信する。ここで、同一の無線フロントエンドが、ブロック１１１０で第１のパルスセットを伝送するために使用されたように、少なくとも１つのパルスを受信するために使用されることが理解されよう。ブロック１１１０に関連して上述されたように、パルスのこの受信はマルチキャスト動作に関係する。ブロック１１１６によって表されるように、少なくとも１つのパルスが受信された後、デューティサイクリング状態は変更され、次の伝送または受信までパワーオフ状態に戻る（例えば、ブロック１１１８で）。
【００９１】
ブロック１１１８によって表されるように、伝送器３２４は少なくとも１つのパルス（例えば、パルス１００６）の第２のセットを伝送する。再び、この第２のパルスセットはパケットの少なくとも一部を備える。ブロック１１２０によって表されるように、第２のパルスセットが伝送された後、デューティサイクリング状態は変更され、次の伝送または受信までパワーオフ状態に戻る。
【００９２】
ブロック１１２２によって表されるように、上記の動作は、共通周波数帯域にわたってサブパケットの繰り返しの伝送および受信が、必要に応じて繰り返される。上記議論は、サブパケットの伝送および受信を主に参照したが、いくつかの態様において、パルスの１つ以上のセットは、パケット全体またはパケット全体より多くを備えることができる。ブロック１１２４によって表されるように、ブロック１１１４で受信された少なくとも１つのパルスは、本明細書で論じられるように処理される（例えば復号される）。
【００９３】
次に図１２を参照すると、いくつかの態様において、伝送パルスと受信パルスとの間で生じる、または生じる可能性がある衝突に対する準備が行われる。すなわち、時間におけるいくつかの時点で、あるパルスは、あるパルスが受信されている時間と同一の時点または実質的に同一の時点で伝送される。
【００９４】
ブロック１２０２によって表されるように、エラー訂正プロセッサ構成要素３６２は、伝送および受信パルスの衝突を識別する。この識別は、衝突が起こった後に衝突が起こっているとして行われ、または、いくつかの態様において、既知または期待される伝送および受信時間に基づいて予測される。
【００９５】
ブロック１２０４によって表されるように、構成要素３６２は、衝突の識別に基づいて、チャネルのために使用されているエラー訂正を調整する。ここで、衝突が検出されたときはいつでも、この情報はエラー訂正スキームに供給される。エラー訂正スキームは、次に、衝突が存在するときはいつでも、いくつかの作用をとるように構成される。例えば、いくつかの実施において、構成要素３６２は、対応する伝送されまたは受信されたパルスに、消失（erasure）としてマークを付ける（例えば、畳み込み符号における、ゼロ信頼性レベル（zero confidence level）を有するビットにマークを付ける）。典型的な実施において、構成要素３６２は、消失として伝送パルスにマークを付ける。なぜなら、これは、伝送が存在したかどうかを決定を遠隔の受信器に試みさせるよりも簡単であるからである。
【００９６】
ブロック１２０６によって表されるように、いくつかの態様において、構成要素３６２は受信されたパルスに関連する信頼性レベルを決定する。例えば、いくつかのアプリケーションはエラー訂正スキームを使用し、それによって信頼性レベルが受信されたデータに割り当てられ、受信されたデータは、遠隔伝送器によって伝送された情報を正確に表す程度を示す。ここで、使用されるエラー訂正スキームおよびチャネル特性に依存して、信頼性レベルは、１つ以上のパルスがチャネルを通して伝送の間に劣化することがあっても、比較的高い。
【００９７】
ブロック１２０８によって表されるように、構成要素３６２は、次に、信頼性レベルに基づいて、当該（例えば、衝突または可能性がある衝突に関連する）パルスを受信する必要があるかどうかを決定する。例えば、受信された情報に関する信頼性の高いレベルが存在するなら、パルスは単に冗長情報であるので、このパルスを受信する必要はない。従って、この場合には、構成要素３６２は受信されたパルスを単に無視する。さらに、伝送器３２４がパルスを伝送することを望むときに受信パルスが到達するというイベントにおいては、トランシーバ３０２はいずれにしてもパルスを伝送することを許容される。対照的に、チャネルが比較的ノイジーである場合、または受信器３４０が何がしかの他の理由で情報の受信に困難性を有する場合、構成要素３６２は、パルスに関連する情報を復号する必要があることを決定する。上記から、構成要素３６２は、衝突または可能性がある衝突のイベントにおいて、採られるべき作用を動的に決定することが理解されるであろう。
【００９８】
次に図１３を参照すると、いくつかの態様において、本開示は、いくつかの無線通信リンクを介して、無線デバイス（例えば、セルホン、ＭＰ３プレーヤまたはビデオプレーヤなどの個人エンターテイメントデバイス、携帯情報端末、コンピュータなど）と複数の周辺装置（例えば、ヘッドセット）との間の通信に関する。いくつかの態様において、これらの構成要素は無線通信リンクを介してマルチキャストする。例えば、無線デバイスは、無線リンクを介して、それ自体といくつかのヘッドセットとの間にマルチウェイ会議呼（multi-way conference call）を直接確立する。いくつかの態様において、無線リンクは、本明細書に教示されたようにインパルスベースのシグナリングを使用する。この場合、デバイスは、また本明細書で論じられたように、パワーを節約するためにパルス間デューティサイクリングをサポートする。
【００９９】
図１３の実施例において、無線通信システム１３００は、無線デバイス１３０２および２つの周辺装置１３０４および１３０６を含む。しかしながら、所与の実施はより多くの周辺装置を組み込むことができることが理解されよう。無線デバイス１３０２は、ワイドエリアネットワーク構成要素１３０８を介してセルラネットワークと通信する。さらに、無線デバイス１３０２は伝送器１３１０および受信器１３１２を介して周辺装置１３０４および１３０６との無線通信リンクを確立する。同様に、周辺装置１３０４および１３０６は、それぞれ対応する伝送器１３１４Ａおよび１３１４Ｂならびに受信器１３１６Ａおよび１３１６Ｂを含む。
【０１００】
図１３における各デバイス１３０２、１３０４および１３０６は、また、互いにまたはいくつかの他のデバイス（図示されず）と通信するための様々な構成要素を含む。例えば、デバイス１３０２は、スピーカ１３１８、マイクロホン１３２０、制御デバイス（例えば、ボリュームを調整し、また、呼に加わるための）１３２２、ベースバンドプロセッサ１３２４、およびソース符号化構成要素１３２６を含む。デバイス１３０４は、スピーカ１３２８Ａ、マイクロホン１３３０Ａ、制御デバイス１３３２Ａ、ベースバンドプロセッサ１３３４Ａおよびソース符号化構成要素１３３６Ａを含む。同様に、デバイス１３０６は、スピーカ１３２８Ｂ、マイクロホン１３３０Ｂ、制御デバイス１３３２Ｂ、ベースバンドプロセッサ１３３４Ｂおよびソース符号化構成要素１３３６Ｂを含む。
【０１０１】
デバイス１３０２、１３０４および１３０６のサンプル動作は、以下に図１４のフローチャートに関連して論じられる。ブロック１４０２によって表されるように、図１４Ａにおいて、初期的に、無線デバイス１３０２は、周辺装置１３０４および１３０６との無線通信リンクを確立する。いくつかの態様において、これは、通信セッション（例えば、電話呼）の持続期間の間に、各周辺装置１３０４および１３０６を無線デバイス１３０２と一時的に対にすることを含む。いくつかの実施において、周辺装置１３０４および１３０６は無線デバイス１３０２に同期化される。
【０１０２】
いくつかの態様において、マルチキャスティングは、無線マルチキャストリンクおよび無線ユニキャストリンクを使用して、または無線ユニキャストリンクだけを使用して実施される。例えば、いくつかの実施において、マルチキャストリンクは、無線デバイス１３０２から周辺装置１３０４および１３０６の両方にマルチキャストデータを送信するために確立される。この場合、別個のユニキャストリンクは、次に各周辺装置１３０４および１３０６から無線デバイス１３０２へデータを送信するために確立される。逆に、いくつかの実施において、マルチキャストリンクよりむしろ、別個のユニキャストリンクが、無線デバイスから各周辺装置１３０４および１３０６へマルチキャストデータを送信するために確立される。
【０１０３】
サンプル使用の場合において、会議呼は、単一の無線デバイス（例えば、セルホン）および複数のヘッドセットを使用して確立される。いくつかの実施において、セルホンは、ヘッドセットにマルチキャストデータを送信するためにマルチキャストリンク（または複数のユニキャストリンク）を使用する。ヘッドセットは、次に、別個のユニキャストリンク（または複数のマルチキャストリンク）を介してセルホンにデータを戻して送り戻す。このデータは、例えば、マイクロホンデータおよびサイドトーンデータ（side tone data）を含む。セルホンは、また、例えばワイドエリアネットワークからのデータ（例えば、セルラネットワークにわたる呼に関連する到来信号）などの他のソースからデータを受信する。セルホンは、次に到来データ（例えば、マイクロホンデータ、サイドトーンデータなど）を混合し、かつデバイス（例えば周辺装置およびワイドエリアネットワーク）へ混合されたデータを送信する。かくして、セルホンは、１つ以上の無線リンクを介してヘッドセットへマイクロホンデータ（もし適用可能であれば、他の音響データと混合されて）をマルチキャストする。
【０１０４】
いくつかの実施において、無線通信リンクは、本明細書で教示されるようにインパルスベースのシグナリングを使用する。例えば、各ユニキャストリンクは、低デューティサイクル、パルス時間ホッピング、パルス間デューティサイクリング、または本明細書で教示される任意の他の技術を使用する。さらに、マルチキャストに関連するリンクは、本明細書に記載されるように（例えば、図１０−図１２で）、共通周波数帯域を介してサブパケット伝送および受信を使用して実現される。
【０１０５】
図１４Ａにおいて、ブロック１４０４によって示されるように、周辺装置１３０４または１３０６の一方は、無線デバイス１３０２に情報を送信する。上で論じられたように、これは、無線ユニキャストリンクを介して、またはサブパケット伝送および受信リンク（例えば、図１０のパルス１００４）の一方向を介して達成される。
【０１０６】
ブロック１４０６によって示されるように、無線デバイス１３０２は、周辺装置から、また、ある場合には、何がしかの他の１つまたは複数のソースから情報を受信する。ここで、他のソースは、他の１つの周辺装置１３０４または１３０６、あるいは現在の通信セッション（図示されず）に関連するいくつかの他の通信デバイスを含む。例えば、会議呼の場合には、無線デバイス１３０２は、セルラネットワークを介して他のセルラに接続される。
【０１０７】
ブロック１４０８によって示されるように、無線デバイス１３０２は、周辺装置および任意の他のソースデバイスから受信した情報を処理する。例えば、無線デバイス１３０２（例えば、ベースバンドプロセッサ１３２４）は、受信された情報（例えば、音響信号）を混合する。
【０１０８】
ブロック１４１０によって示されるように、無線デバイス１３０２は、周辺装置１３０４および１３０６、および適用可能であれば現在の通信セッションに関連する任意の他のデバイスへ、処理された情報を伝送する。上述されたように、いくつかの実施において、無線デバイス１３０２は、単一の無線通信リンクを介して単一のマルチキャストストリームとして、処理された情報を伝送する。この場合において、各周辺装置はマルチキャストリンクからストリームを受信する。他の実施において、無線デバイス１３０２は、複数の無線通信リンクを介して複数のユニキャストストリームとして処理された情報を伝送する。さらに他の実施において、無線デバイス１３０２は、サブパケット伝送および受信リンク（例えば、図１０のパルス１００２および１００６）の一方向を介して伝送する。
【０１０９】
ブロック１４１２によって示されるように、周辺装置１３０４および１３０６は、無線デバイス１３０２から処理された情報を受信する。周辺装置１３０４および１３０６は、次に、必要に応じて受信された情報を処理する（ブロック１４１４）。
【０１１０】
上述のように、周辺装置（例えば、周辺装置１３０４）は、様々なタイプのデータ（すなわち情報）を伝送することができ、かつ様々な方法でデータを伝送することができる。周辺装置のいくつかの追加のサンプル動作は、次に図１４Ｂのフローチャートに関連して取り扱われる。
【０１１１】
ブロック１４２０によって示されるように、周辺装置は、１つ以上のデータソースから伝送されるべきデータを得る。例えば、周辺装置は、そのマイクロホンからデータを得る。さらに、周辺装置は、無線デバイス１３０２から、１つ以上の他の周辺装置から、いくつかの他のソースから、またはこれらソースのいくつかの組み合わせからデータを受信する。一実施例として、周辺装置１３０４は無線リンクを介して周辺装置１３０６からマイクロホンデータを受信する。
【０１１２】
ブロック１４２２によって示されるように、周辺装置は、データの伝送を容易にするためにいくつかの方法で得られたデータを処理することができる。例えば、いくつかの実施において、周辺装置（例えば、ベースバンドプロセッサ１３３４Ａ）は、データ（例えば、複数のソースからのマイクロホンデータ）を混合することができる。
【０１１３】
ブロック１４２４によって示されるように、周辺装置は、次に、適切な１つまたは複数の宛先に処理されたデータを伝送する。いくつかの実施において、周辺装置は、ユニキャストリンクを介して他のデバイス（例えば、無線デバイス１３０２および周辺装置１３０６）へデータを伝送する。いくつかの実施において、周辺装置は、いくつかのユニキャストリンクを介して、いくつかのデバイス（例えば、無線デバイス１３０２および周辺装置１３０６）へデータを伝送する。従ってこの場合、セルホンは、複数のヘッドセットからマイクロホンデータのいくつかまたは全て（適用可能であれば、他の音響データと混合されて）を、無線リンクを介してヘッドセットまたは他のデバイスにマルチキャストする。
【０１１４】
次に図１５を参照すると、上述のように、いくつかの実施において、パルスベースの超広帯域通信を使用するデバイスは、チャネルにわたるデータ伝送の信頼性を改善するために様々な符号化技術を用いることができる。いくつかの態様において、本開示は、非コヒーレント超広帯域システムにおける改善された干渉性能を提供するために、ビット当たりに複数のパルスを使用することに関する。
【０１１５】
非コヒーレント受信器を有する超広帯域システムにおいて、ビット当たりの単一パルスは、従来、非コヒーレント組み合わせ損失を最小化し、かつ雑音制限されたチャネルにおける最良の性能を得るために使用された。例えば、典型的な非コヒーレント超広帯域（「ＵＳＢ」）受信器（例えば、ＩＥＥＥ８０２．１５、４ａに従う）、およびそのような受信器を収容する実施は、時間ホッピングダイバーシティと共同して非常に高いレートの（レート１に近い）符号化されたパルスを使用する。
【０１１６】
非コヒーレント受信器における雑音―雑音交差項（noise-noise cross term）の存在に起因して、ビット当たりに１つ以上のパルスを使用することは、Ｅｂ／Ｎｏ要件における顕著な損失をもたらす。一例として、２値パルス位置変調（「ＢＰＰＭ」）ＵＷＢシステムにおいては、拡散率(spread factor)が２倍になる毎に、目標とされる符号化されていないＢＥＲ＝１０−３でのＥｂ／Ｎｏにおいて、ほぼ１ｄＢの損失が存在する。これは、拡散率の倍増により、コヒーレント受信器の場合の３ｄＢではなく、２ｄＢの拡散利得しか生み出さないことを意味する。この非コヒーレント組み合わせ損失に起因して、従来の設計は１に近い値のビット当たりのパルスを導き出す高いレート符号（例えば、リード・ソロモン符号(Reed-Solomon code)）を使用する。
【０１１７】
しかしながら、ビット当たり１つ以上のパルスは、システムが干渉制限されるときに、有利に使用することができる。この点を示すために、仮説システム（hypothetical system）の実施例が記載される。この仮説システムにおいて、伝送器に関する以下の条件が規定される：１）システムは、繰り返し（例えばＰＮシーケンス）ベースの拡散以外の任意の符号化を使用しない。２）パラメータは、リンク内のパルス間、パルス間位置仮説、またはシンボル間の干渉問題が存在しないように選択される。３）選択される任意の時間ホッピングシーケンスは、可能なパルス位置にわたってユーザ内およびユーザ間に均一に分布される独立同分布（i.i.d.）である。さらに、以下のパラメータが規定される：１）システムは、符号化されていないビット当たりＮ個の重なり合わない２値パルス位置変調(binary pulse position modulated)シンボル位置を生成する。ここで、各ＢＰＰＭシンボルは、「１」と「０」を示す２つの重なり合わない位置からなる。従って、これは、全体で２Ｎ個のパルス位置が存在することを意味する。および、２）拡散符号長はＭである。そして、各パルスは、Ｔ＝Ｎ／Ｍ個の可能な時間ホッピング位置を有する。最後に、以下の条件が受信器について規定される：１）積分器は、ＢＰＰＭシンボル位置における全てのエネルギを捕らえる。および、２）ＢＰＰＭ検出は、ハード（hard）検出器を使用する。これは、「１」に対応するパルス位置でのエネルギが「０」におけるエネルギより大きければ、検出器は「１」を優先して決定することを意味する。
【０１１８】
次に、関心のリンクがより強い干渉の存在下で動作すると仮定される。各ユーザが、互いに独立で同一の分布に従って均一な時間ホッピングシーケンスを有すると仮定されるので、干渉によって伝送されるパルスが、関心のユーザに対応する２つの時間ホッピングされたＢＰＰＭ仮説位置(BPPM hypothesis locations)の１つになる可能性は、１／Ｔである。干渉は、このように、干渉するパルスが２つの時間ホッピングされたＢＰＰＭ仮説位置のどこの１つになるかに依存して、パルスの正確な検出を助長しまたは妨げる。従って、平均パルスエラーレートは１／（２Ｔ）である。
【０１１９】
上記条件の下で、奇数値Ｍについて、ＢＥＲエラーフロアは以下のようになる。
【数１】
2009535930.tif 000003
【０１２０】
これは、拡散符号長（Ｍ）と干渉下のＢＥＲフロアとの間のトレードオフをもたらす。Ｎ＝５０について、このトレードオフの実施例は図１５にプロットされる。このプロットは、干渉下のシステムのふるまいが、ビット当たりの大きな数のパルス（例えば、５個以上）から利益を得ることを示している。従って、ビット当たりの多数のパルスは、干渉が制限された領域における性能を改善するために、時間ホッピングされた非コヒーレントシステムで有利に用いられる。
【０１２１】
上記から、本明細書に教示されるインパルスベースのシグナリングは、超低パワー要件を有する装置に有利に用いられることが理解されるであろう。いくつかの実施において、本明細書の教示は、０．１ビット／秒／Ｈｚ未満のスペクトル効率を達成するために用いられる。腕時計が典型的に数マイクロワット程度のパワー量を消費する場合、そのような技術は、例えば、セルホンと腕時計との間でデータを送信するために、短距離通信に有利に用いられる。ヘッドセットが典型的に数ミリワット程度のパワー量を消費する場合、これら技術は同様に、セルホンとインイアヘッドセット（in-ear headset）（例えば、補聴器に類似する）との間でデータを送信するために使用できる。
【０１２２】
無線デバイスは、無線デバイスで伝送または受信される信号に基づいて機能を実行する様々な構成要素を含むことができる。例えば、ヘッドセットは、無線リンクを介して受信されたパルス、復号された情報、１つ以上の受信されたパルス、あるいは処理された情報に基づいて、可聴出力を提供するように構成された変換器を含むことができる。ウオッチは、無線リンクを介して受信されたパルス、復号された情報、１つ以上の受信されたパルス、あるいは処理された情報に基づいて、視覚出力を提供するように構成されたディスプレイを含むことができる。医療デバイスは、検知されたデータを生成し、無線リンクを介して伝送するために伝送器によって伝送され、１つ以上の伝送されたパルスを提供し、あるいはセルホンに伝送されるように構成されたセンサを含むことができる。
【０１２３】
無線デバイスは、任意の適切な無線通信技術に基づき、またはそうでなければ任意の適切な無線通信技術をサポートする１つ以上の無線通信リンクを介して通信することができる。例えば、いくつかの態様において、無線デバイスは、ネットワークと関連付けられる。いくつかの態様において、ネットワークは、ボディエリアネットワークまたはパーソナルエリアネットワーク（例えば、超広帯域ネットワーク）を備える。いくつかの態様において、ネットワークは、ローカルエリアネットワークまたはワイドエリアネットワークを備える。無線デバイスは、例えば、ＣＤＭＡ、ＴＤＭＡ、ＯＦＤＭ、ＯＦＤＭＡ、ＷｉＭＡＸ、Ｗｉ−Ｆｉ、および他の無線技術を含む、１つ以上の様々な無線通信プロトコルまたは基準をサポートもしくは使用する。同様に、無線デバイスは、１つ以上の様々な対応する変調または多重化スキームをサポートもしくは使用する。無線デバイスは、従って、上記または他の無線通信技術を使用して１つ以上の無線通信リンクを介して確立しかつ通信するために、適切な構成要素（例えば、エアインタフェース）を含む。例えば、デバイスは、関連する伝送器を有する無線トランシーバ、および無線媒体にわたる通信を容易にする様々な構成要素（例えば、信号生成器および信号プロセッサ）を含む受信器構成要素（例えば、伝送器３２６および受信器３４０）を備える。
【０１２４】
上述のように、いくつかの態様において、無線デバイスは超広帯域パルスを介して通信する。いくつかの態様において、各超広帯域パルスは１〜２ＧＨｚの程度の帯域幅を有する。いくつかの態様において、各超広帯域パルスはほぼ６ＧＨｚから１０ＧＨｚの範囲内の帯域幅（すなわち、周波数範囲）を有する。いくつかの態様において、各超広帯域パルスは、ほぼ７．２５ＧＨｚから９ＧＨｚの範囲内の帯域幅を有する。いくつかの態様において、各超広帯域パルスは、２０ナノ秒以下の程度の時間持続期間を有する。
【０１２５】
本明細書の教示は、様々な装置（例えば、デバイス）に組み込まれる（例えば、装置内で実施されまたは装置によって実行される）。例えば、本明細書で教示される１つ以上の態様は、ホン（例えば、セルラホン）、携帯情報端末（「ＰＤＡ」）、エンターテイメントデバイス（例えば、音楽またはビデオデバイス）、ヘッドセット（例えば、ヘッドホン、イアホン、マイクロホン、またはこれらデバイスの２つ以上のいくつかの組み合わせを含む）、マイクロホン、医療デバイス（例えば、生物測定センサ、心拍モニタ、歩数計、ＥＫＧデバイスなど）、ユーザＩ／Ｏデバイス（例えば、ウオッチ、遠隔制御装置、光スイッチ、キーボード、マウスなど）、タイヤ圧力モニタ、コンピュータ、レジデバイス、エンターテイメントデバイス、補聴器、セットトップデバイス、または任意の他の適切なデバイスに組み込まれる。
【０１２６】
これらデバイスは、異なるパワーおよびデータ要件を有することができる。いくつかの態様において、本明細書の教示は、低パワーアプリケーションにおける使用（例えば、インパルスベースのシグナリングスキームおよび低デューティサイクルモードの使用を通して）のために構成され、かつ比較的高いデータレートを含む様々なデータレート（例えば、高帯域パルスの使用を通して）をサポートする。
【０１２７】
いくつかの態様において、無線デバイスは、通信システムのためにアクセスデバイス（例えば、Ｗｉ−Ｆｉアクセスポイント）を備える。そのようなアクセスデバイスは、例えば、有線または無線通信リンクを介して他のネットワーク（例えば、インターネットまたはセルラネットワークなどのワイドエリアネットワーク）への接続性を提供する。従って、アクセスデバイスは、他のネットワークまたはいくつかの他の機能性へアクセスするために、他のデバイス（例えば、Ｗｉ−Ｆｉステーション）をイネーブルする。さらに、一方または両方のデバイスは、可搬、またはいくつかの場合において比較的非可搬であることが理解されよう。
【０１２８】
本明細書に記載される構成要素は、様々な方法で実施されることができる。図１６〜図２１を参照すると、装置１６００、１６５０、１７００、１７５０、１８００、１９００、２０００、２０５０、２１００および２１５０は、例えば１つ以上の集積回路（例えば、ＡＳＩＣ）によって実施される機能を表し、あるいは本明細書で教示されるようないくつかの他の方法で実施される一連の相関機能ブロックとして表される。本明細書で論じられるように、集積回路は、プロセッサ、ソフトウエア、他の構成要素、またはそれらのいくつかの組み合わせを含む。
【０１２９】
図１６に示されるように、装置１６００は、様々な図面に関して上述した機能の１つ以上を実行する１つ以上のモジュール１６０２、１６０４、１６０６、１６０８、１６１０、１６１２および１６１４を含む。例えば、符号化された情報を生成するためのＡＳＩＣ１６０２は、例えば上述した構成要素３２０に対応する。伝送するためのＡＳＩＣ１６０４は、例えば上述の構成要素３２４に対応する。デューティサイクリングのためのＡＳＩＣ１６０６は、例えば上述の構成要素３１２に対応する。ソース符号化のためのＡＳＩＣ１６０８は、例えば上述の構成要素３２０に対応する。波形符号化のためのＡＳＩＣ１６１０は、例えば上述の構成要素３１２に対応する。シグマデルタ変調符号化のためのＡＳＩＣ１６１２は、例えば上述の構成要素３２０に対応する。時間ホッピングシーケンスのためのＡＳＩＣ１６１４は、例えば上述の構成要素３４２に対応する。
【０１３０】
装置１６５０は、様々な図面に関して上述した機能の１つ以上を実行する１つ以上のモジュール１６５２、１６５４、１６５６、１６５８、１６６０、１６６２および１６６４を含む。例えば、受信するためのＡＳＩＣ１６５２は、例えば上述の構成要素３４０に対応する。デューティサイクリングのためのＡＳＩＣ１６５４は、例えば上述の構成要素３１２に対応する。復号化のためのＡＳＩＣ１６５６は、例えば上述の構成要素３５２に対応する。ソース復号化のためのＡＳＩＣ１６５８は、例えば上述の構成要素３５２に対応する。波形復号化のためのＡＳＩＣ１６６０は、例えば上述の構成要素３５２に対応する。シグマデルタ変調復号化のためのＡＳＩＣ１６６２は、例えば上述の構成要素３５２に対応する。時間ホッピングシーケンスを提供するためのＡＳＩＣ１６６４は、例えば上述の構成要素３４２に対応する。
【０１３１】
図１７に示されるように、装置１７００は、様々な図面に関して上述した機能の１つ以上を実行する１つ以上のモジュール１７０２、１７０４、１７０６および１７０８を含む。例えば、伝送するためのＡＳＩＣ１７０２は、例えば上述の構成要素３２４に対応する。デューティサイクリングのためのＡＳＩＣ１７０４は、例えば上述の構成要素３１２に対応する。ランダムシーケンスを提供するためのＡＳＩＣ１７０６は、例えば上述の構成要素３４２に対応する。符号化された情報を生成するためのＡＳＩＣ１７０８は、例えば上述の構成要素３２０に対応する。
【０１３２】
装置１７５０は、様々な図面に関して上述した機能の１つ以上を実行する１つ以上のモジュール１７５２、１７５４、１７５６および１７５８を含む。例えば、受信するためのＡＳＩＣ１７５２は、例えば上述の構成要素３４０に対応する。デューティサイクリングのためのＡＳＩＣ１７５４は、例えば上述の構成要素３１２に対応する。ランダムシーケンスを提供するためのＡＳＩＣ１７５６は、例えば上述の構成要素３４２に対応する。復号化するためのＡＳＩＣ１７５８は、例えば上述の構成要素３５２に対応する。
【０１３３】
図１８に示されるように、装置１８００は、様々な図面に関して上述した機能の１つ以上を実行する１つ以上のモジュール１８０２、１８０４、１８０６、１８０８を含む。例えば、パワーを使用するためのＡＳＩＣ１８０２は、例えば上述の構成要素３０２に対応する。デューティサイクリングのためのＡＳＩＣ１８０４は、例えば上述の構成要素３１２に対応する。充電するためのＡＳＩＣ１８０６は、例えば上述の構成要素３１４に対応する。変更するためのＡＳＩＣ１８０８は、例えば上述の構成要素３１６に対応する。
【０１３４】
装置１９００は、様々な図面に関して上述した機能の１つ以上を実行する１つ以上のモジュール１９０２、１９０４、１９０６、１９０８および１９１０を含む。例えば、伝送するためのＡＳＩＣ１９０２は、例えば上述の構成要素３２４に対応する。受信するためのＡＳＩＣ１９０４は、例えば上述の構成要素３４０に対応する。エラー訂正のためのＡＳＩＣ１９０６は、例えば上述の構成要素３６２に対応する。デューティサイクリングのためのＡＳＩＣ１９０８は、例えば上述の構成要素３１２に対応する。変更するためのＡＳＩＣ１９１０は、例えば上述の構成要素３１６に対応する。
【０１３５】
図２０に示されるように、装置２０００は、様々な図面に関して上述した機能の１つ以上を実行する１つ以上のモジュール２００２および２００４を含む。例えば、通信するためのＡＳＩＣ２００２は、例えば上述の構成要素３０２に対応する。処理するためのＡＳＩＣ２００４は、例えば上述の構成要素３０４および／または構成要素３０６に対応する。
【０１３６】
装置２０５０は、様々な図面に関して上述した機能の１つ以上を実行する１つ以上のモジュール２０５２、２０５４および２０５６を含む。例えば、受信するためのＡＳＩＣ２０５２は、例えば上述の構成要素３４０に対応する。処理するためのＡＳＩＣ２０５４は、例えば上述の構成要素３０４および／または構成要素３０６に対応する。伝送するためのＡＳＩＣ２０５６は、例えば上述の構成要素３２４に対応する。
【０１３７】
図２１に示されるように、装置２１００は、様々な図面に関して上述した機能の１つ以上を実行する１つ以上のモジュール２１０２および２１０４を含む。例えば、マルチキャストするためのＡＳＩＣ２１０２は、例えば上述の構成要素３０２に対応する。処理するためのＡＳＩＣ２１０４は、例えば上述の構成要素３０４および／または構成要素３０６に対応する。
【０１３８】
装置２１５０は、様々な図面に関して上述した機能の１つ以上を実行する１つ以上のモジュール２１５２、２１５４および２１５６を含む。例えば、受信するためのＡＳＩＣ２１５２は、例えば上述の構成要素３４０に対応する。処理するためのＡＳＩＣ２１５４は、例えば上述の構成要素３０４および／または構成要素３０６に対応する。伝送するためのＡＳＩＣ２１５６は、例えば上述の構成要素３２４に対応する。
【０１３９】
上記されたように、いくつかの態様において、これら構成要素は、適切なプロセッサ構成要素を介して実施される。これらプロセッサ構成要素は、いくつかの態様において、本明細書で教示されるような構造を用いて少なくとも部分的に実施される。いくつかの態様において、プロセッサは、これら構成要素の１つ以上の機能性の一部または全てを実施するように構成される。いくつかの態様において、破線の箱によって表される構成要素の１つ以上は随意である。
【０１４０】
上記のように、図１６〜図２１の装置は、対応する構成要素の機能性を提供する１つ以上の集積回路を備えることができる。例えばいくつかの態様において、単一の集積回路は、示された構成要素の機能性を実施し、一方、他の態様において、２つ以上の集積回路は、示された構成要素の機能性を実施する。
【０１４１】
さらに、図１６〜図２１によって示される構成要素および機能、ならびに本明細書に記載される他の構成要素および機能は、任意の適切な手段を使用して実施される。そのような手段は、本明細書に教示されるような対応する構造を使用して少なくとも部分的に実施される。例えばいくつかの態様において、符号化された情報を生成するための手段は符号器を備え、伝送するための手段は伝送器を備え、デューティサイクリングのための手段は状態コントローラを備え、ソース符号化のための手段はソース符号器を備え、波形符号化のための手段は波形符号器を備え、シグマデルタ変調符号化するための手段はシグマデルタ変調符号器を備え、時間ホッピングシーケンスを提供するための手段は時間ホッピングシーケンスコントローラを備え、受信するための手段は受信器を備え、復号化のための手段は復号器を備え、ソース復号化のための手段はソース復号器を備え、波形復号化のための手段は波形復号器を備え、シグマデルタ変調復号化するための手段はシグマデルタ変調復号器を備え、ランダムシーケンスを提供するための手段は時間ホッピングシーケンスコントローラを備え、パワーを使用するための手段はトランシーバを備え、充電するための手段は充電回路を備え、エラー訂正するための手段はエラー訂正プロセッサを備え、通信するための手段はトランシーバを備え、処理するための手段はプロセッサを備え、マルチキャストするための手段はトランシーバを備え、また変更するための手段はパルスタイミングコントローラを備えることができる。そのような手段の１つ以上は、図１６〜図２１のプロセッサ構成要素の１つ以上に従って実施されることもできる。
【０１４２】
当業者は、情報および信号が任意の様々な異なる技術および技法を使用して表され得ることを理解するであろう。例えば、上記記載を通して参照されるデータ、命令、コマンド、情報、信号、ビット、シンボルおよびチップは、電圧、電流、電磁波、磁界または粒子、光学場または粒子、あるいは任意のそれらの組み合わせによって表されることができる。
【０１４３】
当業者は、さらに、任意の様々な例示的な論理ブロック、モジュール、プロセッサ、手段、回路、および本明細書に開示される態様に関して記載されるアルゴリズムステップが、電子ハードウエア（例えば、ソース符号化またはいくつかの他の技術を使用して設計されることができるデジタル実施、アナログ実施、またはこれら両者の組み合わせ）、命令を組み込むプログラムまたは設計符号の様々な形態（本明細書において便宜のために「ソフトウエア」または「ソフトウエアモジュール」と呼ばれる）、あるいは両者の組み合わせとして実施されることを理解するであろう。ハードウエアおよびソフトウエアのこの交換可能性を明瞭に示すために、様々な例示的な構成要素、ブロック、モジュール、回路およびステップは、以上ではそれらの機能性に関して一般的に記述された。そのような機能性がハードウエアまたはソフトウエアとして実施されるかどうかは、システム全体に課される特定のアプリケーションおよび設計制約によって決まる。当業者は、各特定のアプリケーションに関する様々な方法で記載された機能性を実施することができるが、そのような実施の決定は本開示の範囲から逸脱させるものとして解釈されるべきではない。
【０１４４】
本明細書に開示される態様に関連して記載された様々な論理ブロック、モジュールおよび回路は、集積回路（「ＩＣ」）、アクセス端末、またはアクセスポイント内で実施され、または集積回路（「ＩＣ」）、アクセス端末、またはアクセスポイントによって実行される。ＩＣは、汎用プロセッサ、デジタル信号プロセッサ（ＤＳＰ）、アプリケーションに特定の集積回路（ＡＳＩＣ）、フィールドプログラム可能なゲートアレイ（ＦＰＧＡ）または他のプログラム可能な論理デバイス、ディスクリートゲートまたはトランジスタ論理、ディスクリートハードウエア構成要素、電子構成要素、光学構成要素、機械構成要素、または本明細書に記載される機能を実行するように設計されたその任意の組み合わせを備え、かつＩＣ内、ＩＣの外部、またはそれらの両方にあるコードまたは命令を実行する。汎用プロセッサは、マイクロプロセッサであるが、代わりにプロセッサは、任意の従来のプロセッサ、コントローラ、マイクロコントローラ、または状態機械であってもよい。プロセッサはまた、計算デバイス、例えばＤＳＰとマイクロプロセッサとの組み合わせ、複数のマイクロプロセッサ、ＤＳＰコアに関連する１つ以上のマイクロプロセッサ、または任意の他のそのような構成の組み合わせとして実施される。
【０１４５】
任意の開示されたプロセスにおける任意の特定の順序または階層は、サンプルアプローチの実施例であると理解される。設計優先度に基づいて、プロセスにおけるステップの特定の順序または階層は再構成され得るが、本開示の範囲内のままであると理解される。添付の方法クレームは、サンプル順序における様々なステップの要素を示し、示された特定の順序または階層に制限されることを意味するものではない。
【０１４６】
本明細書に開示される態様に関連して記載された方法またはアルゴリズムのステップは、ハードウエア、プロセッサによって実行されるソフトウエアモジュール、またはそれら両者の組み合わせで直接実現される。ソフトウエアモジュール（例えば、実行可能な命令および関連するデータを含む）および他のデータは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、または従来技術で知られている任意の他の形態のコンピュータ可読格納媒体に存在する。サンプル格納媒体は、プロセッサが格納媒体から情報（例えば、コード）を読み出すことができかつ情報を書き込むことができるように、例えばコンピュータ／プロセッサ（本明細書で便宜のために「プロセッサ」と呼ばれる）などの機械に結合される。サンプル格納媒体は、プロセッサに集積されることができる。プロセッサおよび格納媒体は、ＡＳＩＣにあることができる。ＡＳＩＣはユーザ機器にあることができる。代わりにプロセッサおよび格納媒体は、ユーザ機器内のディスクリート構成要素としてあることができる。さらにいくつかの態様において、任意の適切なコンピュータプログラム製品は、１つ以上の開示の態様に関連するコード（例えば、少なくとも１つのコンピュータによって実行可能である）を備えるコンピュータ可読媒体を備えることができる。いくつかの態様において、コンピュータプログラム媒体は、パッケージング材料を備えることができる。
【０１４７】
開示された態様の前記記載は、任意の当業者が本開示を製造もしくは使用することを可能にする。これら態様に対する様々な変更は当業者には容易に明らかであり、本明細書に定義された総括的な原理は、開示の範囲から逸脱することなく他の態様に適用されることができる。従って、本開示は、ここに示された態様に限定されると意図されるものではなく、本明細書に開示される原理および新規な特徴と一致する最も広い範囲に従うべきである。
【図面の簡単な説明】
【０１４８】
【図１】図１は、無線通信システムのいくつかのサンプル態様の単純化されたブロック図。
【図２】図２は、いくつかのサンプルパルス波形の単純化された図。
【図３】図３は、無線デバイスのいくつかのサンプル態様の単純化されたブロック図。
【図４】図４は、パルスを伝送するために実行される動作のいくつかのサンプル態様のフローチャートを示す図。
【図５】図５は、パルスを受信するために実行される動作のいくつかのサンプル態様のフローチャートを示す図。
【図６】図６は、可変符号化レートにパルスの伝送を適合するために実行される動作のいくつかのサンプル態様のフローチャートを示す図。
【図７】図７は、パルス間デューティサイクリングを提供するために実行される動作のいくつかのサンプル態様のフローチャートを示す図。
【図８】図８は、パワーオン状態の間に容量性要素からパワーを提供するために実行される動作のいくつかのサンプル態様のフローチャートを示す図。
【図９】図９は、いくつかのサンプル電流流れ波形の単純化された図。
【図１０】図１０は、共通周波数帯域にわたるパルスの順次の伝送および受信を示すサンプルパルス波形の単純化された図。
【図１１】図１１は、共通周波数帯域にわたるサブパケットの伝送および受信するために実行される動作のいくつかのサンプル態様のフローチャートを示す図。
【図１２】図１２は、パルス衝突を説明するために実行される動作のいくつかのサンプル態様のフローチャートを示す図。
【図１３】図１３は、無線通信システムのいくつかのサンプル態様の単純化されたブロック図。
【図１４Ａ】図１４Ａは、マルチキャストセッションを提供するために実行される動作のいくつかのサンプル態様のフローチャートを示す図。
【図１４Ｂ】図１４Ｂは、マルチキャストセッションを提供するために実行される動作のいくつかのサンプル態様のフローチャートを示す図。
【図１５】図１５は、ビットを表すために複数のパルスを使用する可能な効果を示すサンプル波形の単純化された図。
【図１６】図１６は、無線装置のいくつかのサンプル形態の単純化されたブロック図。
【図１７】図１７は、無線装置のいくつかのサンプル形態の単純化されたブロック図。
【図１８】図１８は、無線装置のいくつかのサンプル形態の単純化されたブロック図。
【図１９】図１９は、無線装置のいくつかのサンプル形態の単純化されたブロック図。
【図２０】図２０は、無線装置のいくつかのサンプル形態の単純化されたブロック図。
【図２１】図２１は、無線装置のいくつかのサンプル形態の単純化されたブロック図。
【図１】
2009535930.tif 000004
【図２】
2009535930.tif 000005
【図３】
2009535930.tif 000006
【図４】
2009535930.tif 000007
【図５】
2009535930.tif 000008
【図６】
2009535930.tif 000009
【図７】
2009535930.tif 000010
【図８】
2009535930.tif 000011
【図９】
2009535930.tif 000012
【図１０】
2009535930.tif 000013
【図１１】
2009535930.tif 000014
【図１２】
2009535930.tif 000015
【図１３】
2009535930.tif 000016
【図１４Ａ】
2009535930.tif 000017
【図１４Ｂ】
2009535930.tif 000018
【図１５】
2009535930.tif 000019
【図１６】
2009535930.tif 000020
【図１７】
2009535930.tif 000021
【図１８】
2009535930.tif 000022
【図１９】
2009535930.tif 000023
【図２０】
2009535930.tif 000024
【図２１】
2009535930.tif 000025
【国際調査報告】
2009535930.tif 000026
2009535930.tif 000027
2009535930.tif 000028
2009535930.tif 000029
2009535930.tif 000030